(57)【要約】所定の表皮表面に対する用途と共に使用するための被覆材および表皮持ち上げ機構、ならびにそれを使用する方法。表皮持ち上げ機構は、所定の形状の第１の端部分、所定の形状の第２の端部分、および第１の端部分を第２の端部分に連結する中央部分を有するストリップ材料を備える。第１の端部分および第２の端部分は各々、接着剤層を含む側を含む。上に重なる非接着性障壁層は、接着剤層の一部分と端部分の間に配置することができる。
2006507025.tif 000002
【特許請求の範囲】
【請求項１】
人体の鼻梁のいずれかの側に位置する表皮領域を含む所定の領域の上に持ち上げ力を与える、人間の鼻に使用および適用するための表皮持ち上げ機構であって、該表皮持ち上げ機構は、
第１の側および第２の側を有する可撓性材料で作られた少なくとも１つのストリップを備え、該ストリップは、第１の端部分および第２の端部分ならびに中央部分をさらに含み、
該ストリップ材料の該第１の側は、接着性材料を含み、
該第１の端部分および該第２の端部分は各々、該鼻梁の各側に隣接して位置する表皮の所定の部分を覆うように配置することができ、
該ストリップ材料は、それを通って延びる複数の弾力性を有するバネ構造を含み、
該中央部分は、第１の縁部および対向して配置された第２の縁部を含み、
該中央部分の該第１の縁部および該第２の縁部は、それらに一体化したフラップ機構を含み、
それにより、該フラップ機構は、該ストリップ材料の該第１の側の中央部分を覆うために該ストリップ材料の該第１の側の上に折りたたむことができる、
表皮持ち上げ機構。
【請求項２】
前記接着性材料は、親水コロイドの非刺激性接着剤である、請求項１に記載の表皮持ち上げ機構。
【請求項３】
請求項１の表皮持ち上げ機構は、前記鼻梁と組み合わせて用いるように適合され、
該鼻梁は、支点を提供する、請求項１に記載の表皮持ち上げ機構。
【請求項４】
前記第１の端部および前記第２の端部は、少なくとも前記ストリップ材料の前記第１の側を通って延びる複数のスリットを有する、請求項１に記載の表皮持ち上げ機構。
【請求項５】
前記スリットは、Ｕ形を有する、請求項４に記載の表皮持ち上げ機構。
【請求項６】
前記複数の弾力性を有するバネ構造は、互いに積み重ねられた少なくとも２つの板バネ構造から成る積層バネ機構を備える、請求項１に記載の表皮持ち上げ機構。
【請求項７】
前記フラップ構造は、前記第１の側の上に折りたたまれ、かつ支点が生成される、請求項１に記載の表皮持ち上げ機構。
【請求項８】
前記ストリップの前記第１と第２の端部分のうちの少なくとも１つは所定の形状を有する、請求項１に記載の表皮持ち上げ機構。
【請求項９】
前記第１と第２の端部分のうちの少なくとも１つの形状は実質的に三角形である、請求項８に記載の表皮持ち上げ機構。
【請求項１０】
所定の表皮表面に対する用途と共に用いるための表皮持ち上げ機構であって、該表皮持ち上げ機構は、
所定の形状の第１の端部分、所定の形状の第２の端部分、および該第１の端部分を該第２の端部分に連結する中央部分を有するストリップ材料を備え、
該第１の端部分および該第２の端部分は各々、接着性材料を含む側を有し、
該第１の端部分と該第２の端部分の少なくとも１つの側は、それを通って延びる複数のスリット構造をさらに含み、
該側は、周縁構造を含み、
該スリット構造は、実質的に該周縁構造の所定の部分内に配置されている、
表皮持ち上げ機構。
【請求項１１】
鼻梁のいずれかの側に位置する表皮の所定の領域の上に持ち上げ力を与えるための表皮持ち上げ機構を用いて人間の鼻の鼻道を通じた人体の内外への空気の流れを改善する方法であって、該表皮持ち上げ機構は、
第１の側および第２の側を有する可能性材料で作られた少なくとも１つストリップを備え、該ストリップは、第１の端部分と、第２の端部分と、中央部分とをさらに含み、
該ストリップ材料の該第１の側は、接着性材料を含み、
該第１の端部および該第２の端部は、該鼻梁の各側に位置する該表皮の所定の部分を覆うように配置され、
該ストリップ材料は、それらを通って延びる複数の弾力性を有するバネ構造を含み、
該中央部分は、第１の縁部および第２の縁部を含み、
該中央部分の該第１の縁部および該第２の縁部は、それらに一体化したフラップ機構を含み、
それにより、該フラップ機構は、該ストリップ材料の該第１の側の上に折りたたんで該ストリップ材料の該第１の側の中央部分を覆うことができ、
該方法は、該フラップ機構を該ストリップ材料の中央部分の上に折りたたむ工程と、
該鼻の表皮の該第１と第２の端部分を配置する工程と、
を含む方法。
【請求項１２】
鼻梁のいずれかの側に位置する表皮の所定の領域に持ち上げ力を与えるための表皮持ち上げ機構を用いて人間の鼻の鼻道を通じた人体の内外への空気の流れを改善する方法であって、該表皮持ち上げ機構は、所定の形状の第１の端部分、所定の形状の第２の端部分、および該第１の端部分を該第２の端部分に連結する中央部分を有する材料のストリップを含み、
該第１の端部分および該第２の端部分は各々、接着性材料を含む側を有し、
該側は、それを通って延びる複数のスリット構造体をさらに含み、
該側は、周縁構造体を含み、
該スリット構造体は、実質的にこの外側周縁の所定の部分内に配置され、
該方法は、該第１の端部分および該第２の端部分を該鼻のいずれかの側に配置する工程と、
接着性材料を含む該側を該鼻の前記表皮表面に貼付する工程と、
を包含する、方法。
【請求項１３】
表皮を位置決めするための表皮位置決め機構であって、該表皮位置決め機構は、
第１の末端部品および第２の部品に連結された弾性材料を備え、
前記第１の末端部品および前記第２の部品は各々、接着性材料を含む少なくとも１つの側を有する、
表皮位置決め機構。
【請求項１４】
少なくとも１つの末端部品は、第１の側および第２の側を有し、
前記接着性材料は、前記第１の側に配置され、
前記第１の側は、所定の形状を有する複数のスリットをさらに含む、請求項１３に記載の表皮位置決め機構。
【請求項１５】
前記スリットの前記所定の形状はＵ形である、請求項１４に記載の表皮位置決めシステム。
【請求項１６】
少なくとも１つの末端部品は固定機構である、請求項１３に記載の表皮位置決めシステム。
【請求項１７】
前記第２の末端部品は、持ち上げ用末端部品である、請求項１３に記載の表皮位置決めシステム。
【請求項１８】
前記弾性材料は、医薬物質を有する少なくとも１つの側を含む、請求項１３に記載の表皮位置決めシステム。
【請求項１９】
表皮位置決め機構であって、
少なくとも第１の端部および第２の端部を有する帯具構造体と、
該帯具構造体の該第１の端部に連結された第１の弾性材料と該帯具構造体の該第２の端部に連結された第２の弾性材料と、
該第１の弾性材料の少なくとも一部分に連結された第１の固定構造体と、
該第２の弾性材料の少なくとも一部分に連結された第２の固定構造体と、
を備える表皮位置決め機構。
【請求項２０】
前記第１の固定構造体および前記第２の固定構造体は各々、それぞれの所定の位置においてそれぞれの第１の弾性材料と第２の弾性材料に連結された末端部品を備え、
該末端部品は、その上に配置された接着性材料を含む、請求項１９に記載の表皮位置決め機構。
【請求項２１】
前記帯具構造体は、医薬物質を有する少なくとも１つの側を含む、請求項１９に記載の表皮位置決め機構。
【請求項２２】
クロム酸亜鉛を含む、請求項２１に記載の医薬物質。
【請求項２３】
親水コロイド物質中に含浸されたクロム酸亜鉛を含む、請求項２１に記載の医薬物質。
【請求項２４】
アルギン酸塩を含む、請求項２１に記載の医薬物質。
【請求項２５】
アルギン酸カルシウムおよびアルギン酸ナトリウムからなる群のうちの１つを含む、請求項２４に記載のアルギン酸塩。
【請求項２６】
被覆機構であって、該被覆機構は、
第１の部分と、第２の部分と、第３の部分とを備え、該第１の部分は、該第２の部分に連結され、該第２の部分は、該第３の部分に連結され、
該第２の部分は、弾性材料を備え、
該第１の部分および該第３の部分は各々、第１の側を有し、
該第１の側の所定の部分は、その上に配置された接着剤を含む、
被覆機構。
【請求項２７】
前記第２の部分は、複数の開口部を含む、請求項２６に記載の被覆機構。
【請求項２８】
前記開口部は、所定の大きさを有する、請求項２７に記載の被覆機構。
【請求項２９】
前記開口部は、所定の形状を有する、請求項２７に記載の被覆機構。
【請求項３０】
前記所定の形状を有する前記開口部は、所定の方法でそれぞれ互いに対して空間的に構成されている、請求項２９に記載の被覆機構。
【請求項３１】
前記第２の部分は、第１の縁および第２の縁を含み、前記第１の部分は、該第１の縁において該第２の部分に一体化され、前記第３の部分は、該第２の縁において該第２の部分に一体化されている、請求項２６に記載の被覆機構。
【請求項３２】
前記第１の部分および前記第３の部分は、第１の層、第２の中間層、および第３の層を備える積層材であり、前記第３の層は、前記第１の側を含む、請求項２６に記載の被覆機構。
【請求項３３】
前記第２の部分は、第１の縁および第２の縁を含み、前記第１の部分は、該第１の縁を受け入れるための該第１の部分の前記第１の層と前記第３の層の間に配置された第１の溝を含み、該第２の部分は、該第２の縁を受け入れるための該第２の部分の該第１の層と該第３の層の間に配置された第２の溝を含み、前記第２の中間層は、接着性材料を備え、該第１の縁および該第２の縁はそれぞれ、少なくとも１つの開口部を含み、該第１の縁は、該第１の溝内で該第２の中間層に係合しかつ該接着性材料が該第１の縁の該開口部を通って広がり、該第２の縁は、該第２の溝内で該第２の中間層に係合しかつ該接着性材料が該第２の縁の該開口部を通って広がる、請求項３２に記載の被覆機構。
【請求項３４】
前記第１の部分の前記第１の層と第３の層および前記第３の部分の前記第１の層と第３の層は、非弾性材料を備える、請求項３３に記載の被覆機構。
【請求項３５】
前記非弾性材料は、ポリエステルである、請求項３４に記載の被覆機構。
【請求項３６】
第１の部分と、第２の部分と、第３の部分とを備える被覆機構であって、
該第１の部分は、該第２の部分に連結され、かつ該第２の部分は、該第３の部分に連結され、
該第１の部分および該第３の部分は、弾性材料を備え、
該第１の部分および該第３の部分は各々、第１の側を有し、
該第１の側の所定の部分は、その上に配置された接着剤を含む、
被覆機構。
【請求項３７】
前記第２の部分は、少なくとも１つの開口部を含む、請求項３６に記載の被覆機構。
【請求項３８】
前記開口部は、所定の大きさである、請求項３７に記載の被覆機構。
【請求項３９】
前記第１の部分および前記第３の部分は各々、所定の形状の少なくとも１つの開口部を含む、請求項３６に記載の被覆機構。
【請求項４０】
前記所定の形状の開口部は、所定の方法でそれぞれ互いに対して空間的に構成されている、請求項３９に記載の被覆機構。
【請求項４１】
前記第２の部分は、少なくとも１つの縁を含み、前記第１の部分は、該縁において該第２の部分に一体化され、前記第３の部分は、該縁において該第２の部分に一体化されている、請求項３６に記載の被覆機構。
【請求項４２】
前記第２の部分は、少なくとも第１の層、第２の中間層、および第３の層を備える積層材であり、該第３の層は、前記第１の側を含む、請求項３６に記載の被覆機構。
【請求項４３】
前記第１の部分および前記第３の部分は、第１の部分の縁ならびに第３の部分の縁を含み、前記第２の部分は、該縁を受けるために該第２の部分の前記第１の層と前記第３の層との間に配置された少なくとも１つの溝を含み、前記第２の中間層は、接着性材料を備え、該第１の部分の縁および前記第２の部分の縁はそれぞれ、少なくとも１つの開口部を含み、該縁は、該溝内で前記第２の中間層に係合し、かつ該接着性材料は、該縁の該開口部を通って広がり、該接着性材料は、該縁の該開口部を通って広がる、請求項４２に記載の被覆機構。
【請求項４４】
前記第２の部分の前記第１の層および第３の層は、非弾性材料を備える、請求項４３に記載の被覆機構。
【請求項４５】
前記非弾性材料は、ポリエステルである、請求項４４に記載の被覆機構。
【請求項４６】
前記第２の部分は、少なくとも１つの開口部を含む、請求項３６に記載の被覆機構。
【請求項４７】
前記第２の部分は、少なくとも１つの概ね透明な部分を含む、請求項３６に記載の被覆機構。
【請求項４８】
前記第２の部分は、少なくとも１つの創傷洗浄機構を含む、請求項３６に記載の被覆機構。
【請求項４９】
前記第２の部分は、第１の側と第２の側とを備え、該第２の側は、創傷に接触することができる、請求項３６に記載の被覆機構。
【請求項５０】
前記第２の側は、医薬物質を備える、請求項４９に記載の被覆機構。
【請求項５１】
クロム酸亜鉛を含む、請求項５０に記載の医薬物質。
【請求項５２】
親水コロイド物質中に含浸されたクロム酸亜鉛を含む、請求項５０に記載の医薬物質。
【請求項５３】
アルギン酸塩を含む、請求項５０に記載の医薬物質。
【請求項５４】
アルギン酸カルシウムおよびアルギン酸ナトリウムから成る群のうちの１つを含む、請求項５３のアルギン酸塩。
【請求項５５】
被覆材であって、
複数の固定構造体と、処置構造と、弾性材料とを備え、
該弾性材料は、該固定構造体から該処置構造まで延び、
該弾性材料は、第１の連結部分および第２の連結部分を含み、該弾性材料は、該第１の連結部分において少なくとも１つの固定構造体に連結され、かつ該第２の連結部分において該処置構造に連結されている、
被覆材。
【請求項５６】
前記固定構造体は、接着剤がその上に配置されている第１の側を含む、請求項５５に記載の被覆材。
【請求項５７】
前記弾性材料は、所定の位置に配置された複数の開口部を含む、請求項５５に記載の被覆材。
【請求項５８】
前記開口部は、少なくとも１つの所定の形状を有する、請求項５７に記載の被覆材。
【請求項５９】
前記形状は、所定の方法で配向されかつ所定の方向に配向されている、請求項５８に記載の被覆材。
【請求項６０】
前記固定具構造は、前記弾性材料の前記第１の連結部分を受けるためのスリット構造を含む、請求項５５に記載の被覆材。
【請求項６１】
前記第１の連結部分は、それを通って延びる複数の開口部を含む、請求項６０に記載の被覆材。
【請求項６２】
前記スリット構造は、少なくとも１つの接着性材料を含み、前記第１の連結部分は、第１の表面および第２の表面を含み、前記接着性材料は、前記第１の表面、前記第２の表面に係合し、かつ前記開口部を通って広がり、前記接着性材料は、前記連結部分を前記スリット構造に固定している、請求項６１に記載の被覆材。
【請求項６３】
前記処置構造は、ガーゼ材料から構成される、請求項５５に記載の被覆材。
【請求項６４】
前記処置構造は、複数の通気孔を含む、請求項５５に記載の被覆材。
【請求項６５】
前記処置構造は、少なくとも１つの開口部を含む、請求項５５に記載の被覆材。
【請求項６６】
前記処置構造は、所定の領域に配置された透明な壁を含む、請求項５５に記載の被覆材。
【請求項６７】
前記処置構造は、少なくとも、１つの注入口および１つの排出口を含む、請求項５５に記載の被覆材。
【請求項６８】
前記処置構造は、少なくとも１つの所定の薬剤で含浸されている、請求項５５に記載の被覆材。
【請求項６９】
被覆機構を用いる方法であって、
第１の部分と、第２の部分と、第３の部分とを備え、
該第１の部分は、該第２の部分に連結され、該第２の部分は、該第３の部分に連結され、
該第１の部分および該第３の部分は、弾性材料を備え、
該第１の部分および該第３の部分は各々、第１の側を有し、そして
該第１の側の所定の部分は、その上に配置された接着剤を含み、
該方法は、
該第１の部分を表皮上の第１の所定の位置に貼付する工程と、
該第３の部分を該表皮上の第２の所定の位置へ向けて引っ張る工程と、
該第３の部分を該表皮上の該第２の所定の位置に貼付する工程と
を含む、方法。
【請求項７０】
前記第２の部分は、少なくとも１つの開口部を含む、請求項６９に記載の方法。
【請求項７１】
前記開口部は、所定の大きさである、請求項７０に記載の方法。
【請求項７２】
前記第１の部分および前記第３の部分は各々、所定の形状を備える少なくとも１つの開口部を含む、請求項６９に記載の方法。
【請求項７３】
前記所定の形状の開口部は、所定の方法でそれぞれ互いに対して空間的に構成されている、請求項７２に記載の方法。
【請求項７４】
前記第２の部分は、少なくとも１つの縁を含み、前記第１の部分は、該縁において前記第２の部分に一体化され、前記第３の部分は、該縁において前記第２の部分に一体化されている、請求項６９に記載の方法。
【請求項７５】
前記第２の部分は、少なくとも第１の層、第２の中間層、および第３の層を備える積層材であり、該第３の層は、第１の側を含む、請求項６９に記載の方法。
【請求項７６】
前記第１の部分および前記第３の部分は、第１の部分の縁および第２の部分の縁を含み、前記第２の部分は、該縁を受けるために、該第２の部分の前記第１の層と前記第３の層との間に配置された少なくとも１つの溝を含み、前記第２の中間層は、接着性材料を備え、該第１の部分の縁および該第２の部分の縁はそれぞれ、少なくとも１つの開口部を含み、該縁は、該溝内で前記第２の中間層に係合し、かつ該接着性材料は、該縁の該開口部を通って広がり、該接着性材料は、該縁の該開口部を通って広がる、請求項７５に記載の方法。
【請求項７７】
前記第２の部分の前記第１の層および第３の層は、非弾性材料を備える、請求項７６に記載の方法。
【請求項７８】
前記非弾性材料は、ポリエステルである、請求項７７に記載の方法。
【請求項７９】
前記第２の部分は、少なくとも１つの開口部を含む、請求項７６に記載の方法。
【請求項８０】
前記第２の部分は、少なくとも１つの概ね透明な部分を含む、請求項６９に記載の方法。
【請求項８１】
前記第２の部分は、少なくとも１つの創傷洗浄機構を含む、請求項６９に記載の方法。
【請求項８２】
前記第２の部分は、第１の側および第２の側を備え、前記第２の側は、創傷に接触することができる、請求項６９に記載の方法。
【請求項８３】
前記第２の側は、医薬物質を備える、請求項８２に記載の方法。
【請求項８４】
クロム酸亜鉛を含む、請求項８３に記載の医薬物質。
【請求項８５】
親水コロイド物質中に含浸されたクロム酸亜鉛を含む、請求項８３に記載の医薬物質。
【請求項８６】
アルギン酸塩を含む、請求項８３に記載の医薬物質。
【請求項８７】
アルギン酸カルシウムおよびアルギン酸ナトリウムから成る群のうちの１つを含む、請求項８６に記載のアルギン酸塩。
【請求項８８】
被覆材を用いる方法であって、
該被覆材は、複数の固定具構造体と、処置構造体と、弾性材料とを備え、
該弾性材料は、該固定構造体から該処置構造体へ延び、
該弾性材料は、第１の連結部分および第２の連結部分を含み、該弾性材料は、該第１の連結部分において少なくとも１つの固定機構に連結されかつ該第２の連結部分において該処置構造体に連結され、該方法は、
該処置部分を表皮の第１の所定の領域の上に配置する工程と、
少なくとも１つの固定具構造体を該表皮の第２の所定の領域に貼付する工程と、
少なくとも１つの別の固定具構造体を該表皮の第３の所定の領域に貼付する工程と、
を含む方法。
【請求項８９】
前記表皮の前記第１の所定の領域は創傷である、請求項８８に記載の方法。
【請求項９０】
前記表皮の前記第１の所定の領域は火傷である、請求項８８に記載の方法。
【請求項９１】
前記固定構造体は、それらの上に配置された接着剤を有する第１の側を含む、請求項８８に記載の方法。
【請求項９２】
前記弾性材料は、所定の位置に配置された複数の開口部を含む、請求項８８に記載の方法。
【請求項９３】
前記開口部は、少なくとも１つの所定の形状を有する、請求項９２に記載の方法。
【請求項９４】
前記形状は、所定の方法で配向されかつ所定の方向に配向されている、請求項９３に記載の方法。
【請求項９５】
前記固定具構造体は、前記弾性材料の前記第１の連結部分を受け入れるためのスリット構造体を含む、請求項８８に記載の方法。
【請求項９６】
前記第１の連結部分は、それを通って延びる複数の開口部を含む、請求項９５に記載の方法。
【請求項９７】
前記スリット構造体は、少なくとも１つの接着性材料を含み、前記第１の連結部分は、第１の表面および第２の表面を含み、該接着性材料は、該第１の表面、該第２の表面に係合し、かつ前記開口部を通って広がり、該接着性材料は、該連結部分を該スリット構造体に固定する、請求項９６に記載の方法。
【請求項９８】
前記処置構造体は、ガーゼ材料から成る、請求項８８に記載の方法。
【請求項９９】
前記処置構造体は、複数の通気孔を含む、請求項８８に記載の方法。
【請求項１００】
前記処置構造体は、少なくとも１つの開口部を含む、請求項８８に記載の方法。
【請求項１０１】
前記処置構造体は、所定の領域に配置された透明な壁を含む、請求項８８に記載の方法。
【請求項１０２】
前記処置構造体は、少なくとも、１つの注入口および１つの排出口を含む、請求項８８に記載の方法。
【請求項１０３】
前記処置構造体は、少なくとも１種類の所定の薬剤を含浸されている、請求項８８に記載の方法。
【請求項１０４】
前記接着性材料は、接着剤層を備える、請求項１３に記載の表皮位置決め機構。
【請求項１０５】
前記接着剤層の少なくとも一部分は、同延の上に重なる層を含む、請求項１０４に記載の表皮位置決め機構。
【請求項１０６】
前記上に重なる層は、非接着性材料を備える、請求項１０５に記載の表皮位置決め機構。
【請求項１０７】
表皮を位置決めするための表皮位置決め機構であって、該表皮位置決め機構は、
第１の末端部品および第２の末端部品に連結された弾性材料を備え、
該第１の末端部品は、接着性材料を含む第１の側、およびマジックテープ（登録商標）式留め具のループ部材に留められるように配列された複数のフック部材を有する第２の側を含む、
表皮位置決め機構。
【請求項１０８】
前記第２の末端部品は、側方に延びる部分を有する少なくとも１つの側を含み、該側方に延びる部分は、前記第１の末端部品上のフック部材に留められるように配列された複数のループ部材を有する少なくとも１つの側を含む、請求項１０７に記載の表皮位置決め機構。
【請求項１０９】
前記接着性材料は、接着剤層を備え、該接着剤層の少なくとも一部分は、同延の上に重なる層を含む、請求項１０８に記載の表皮位置決め機構。
【請求項１１０】
表皮を位置決めするための表皮位置決め機構であって、該表皮位置決め機構は、
第１の末端部品および第２の末端部品に連結された弾性材料を備え、
該第１の末端部品は、マジックテープ（登録商標）式留め具のループ部材に留められるように配列された複数のフック部材を備える第１の側を有する、
表皮位置決め機構。
【請求項１１１】
前記第２の末端部品は、側方に延びる部分を有する少なくとも１つの側を含み、該側方に延びる部分は、前記第１の末端部品上のフック部材に留められるように配列された複数のループ部材を有する少なくとも１つの側を含む、請求項１１０に記載の表皮位置決め機構。
【請求項１１２】
表皮位置決め機構であって、
少なくとも第１の端部および第２の端部を有する帯具構造体を備え、
該帯具構造体の該第１の端部に連結された第１の弾性材料および該第２の端部に連結された第２の弾性材料を備え、
遠位端部および近位端部を有する第１の固定構造体を備え、該近位端部は、該第１の弾性材料の少なくとも一部分に連結され、
遠位端部および近位端部を有する第２の固定構造体を備え、該近位端部は、該第２の弾性材料の少なくとも一部分に連結され、
該第１の固定構造体および該第２の固定構造体は各々、第１の側および第２の側を有し、
少なくとも１つの接着剤層を備え、該少なくとも１つの接着剤層は、第１の接着面および第２の接着面を有し、
該第１の接着面は、該第１の固定構造体および該第２の固定構造体のうちの少なくとも１つに連結され、
該少なくとも１つの接着剤層は、遠位端部および近位端部を含み、
障壁層を備え、該障壁層は、該第１の接着面の少なくとも一部分の上に重なり、該第１の接着面の該少なくとも一部分は、該少なくとも１つの接着剤層の該近位端部に近接して配置されている、
表皮位置決め機構。
【請求項１１３】
前記帯具は、親水性材料から成っている、請求項１１２に記載の表皮位置決め機構。
【請求項１１４】
前記帯具は、親水性材料から成っている、請求項１９に記載の表皮位置決め機構。
【請求項１１５】
前記第１の固定構造体の前記第１の側は、マジックテープ（登録商標）式留め具のループ部材に留められるように配列された複数のフック部材を備える、請求項１１２に記載の表皮位置決め機構。
【請求項１１６】
前記第２の固定構造体は、側方に延びる部分を有する少なくとも１つの側を含み、該側方に延びる部分は、前記第１の固定構造体上のフック部材に留めるように配列された複数のループ部材を有する少なくとも１つの側を含む、請求項１１５に記載の表皮位置決め機構。
【請求項１１７】
前記帯具は、親水性材料から成っている、請求項１１６に記載の表皮位置決め機構。
【請求項１１８】
表皮位置決め機構であって、
少なくとも第１の端部および第２の端部を有する帯具構造体を備え、
該帯具構造体の該第１の端部に連結された第１の弾性材料および該帯具構造体の該第２の端部に連結された第２の弾性材料を備え、
遠位端部および近位端部を有する第１の固定構造体を備え、該近位端部は、該第１の弾性材料の少なくとも一部分に連結され、遠位端部および近位端部を有する第２の固定構造体を備え、該近位端部は、該第２の弾性材料の少なくとも一部分に連結され、
該第１の固定構造体および該第２の固定構造体は各々、第１の側および第２の側を有し、
該第１の固定構造体の該第１の側は、マジックテープ（登録商標）式留め具のループ部材に留めるように配列された複数のフック部材を備える、
表皮位置決め機構。
【請求項１１９】
前記第２の固定構造体は、側方に延びる部分を有する少なくとも１つの側を含み、該側方に延びる部分は、前記第１の固定構造体上のフック部材に留めるように配列された複数のループ部材を有する少なくとも１つの側を含む、請求項１１８に記載の表皮位置決め機構。
【請求項１２０】
前記帯具構造体は、親水性材料から成っている、請求項１１８に記載の表皮位置決め構造。
【請求項１２１】
前記第１の固定構造体および前記第２の固定構造体は各々、第１の側および第２の側を含み、該第１の固定構造体の該第１の側は、マジックテープ（登録商標）式留め具のループ部材に留めるように配列された複数のフック部材を備える、請求項１９に記載の表皮位置決め構造。
【請求項１２２】
前記帯具構造体は、親水性材料から成っている、請求項１２１に記載の表皮位置決め構造。
【請求項１２３】
被覆機構であって、
第１の部分、第２の部分、および第３の部分を備え、
該第１の部分と該第３の部分は各々、近位端部および遠位端部を含み、
該第１の部分の該近位端部は、該第２の部分に連結され、該第２の部分は、該第３の部分の該近位端部に連結され、
該第２の部分は、弾性材料を備え、
該第１の部分および該第３の部分は各々、第１の側ならびに第２の側を有し、
少なくとも１つの接着剤層を備え、該少なくとも１つの接着剤層は、第１の接着面および第２の接着面を有し、
該第１の接着面は、該第１の部分および該第２の部分のうちの少なくとも１つの該第２の側に連結され、
該少なくとも１つの接着剤層は、遠位端部および近位端部を含み、
障壁層を備え、該障壁層は、該第１の接着面の少なくとも一部分の上に重なり、該第１の接着面の少なくとも一部分は、該少なくとも１つの接着剤層の該近位端部に近接して配置されている、
被覆機構。
【請求項１２４】
前記第２の部分は、親水性材料から成る層を含む、請求項１２３に記載の被覆機構。
【請求項１２５】
前記第２の部分は、親水性材料から成る層を含む、請求項２６に記載の被覆機構。
【請求項１２６】
前記第１の部分の前記第２の側は、マジックテープ（登録商標）式留め具のループ部材に留めるように配列された複数のフック部材を備える、請求項１２３に記載の被覆機構。
【請求項１２７】
前記第３の部分は、側方に延びる部分を有する少なくとも１つの側を含み、該側方に延びる部分は、前記第１の部分上のフック部材に留めるように配列された複数のループ部材を有する少なくとも１つの側を含む、請求項１２６に記載の被覆機構。
【請求項１２８】
前記第２の部分は、親水性材料から成る層を含む、請求項１２７に記載の被覆機構。
【請求項１２９】
被覆機構であって、
第１の部分、第２の部分、および第３の部分を備え、
該第１の部分と該第３の部分は各々、近位端部および遠位端部を含み、
該第１の部分の該近位端部は、該第２の部分に連結され、該第２の部分は、該第３の部分の該近位端部に連結され、
該第２の部分は、弾性材料を備え、
該第１の部分および第３の部分は各々、第１の側ならびに第２の側を有し、
該第１の部分の該第２の側は、マジックテープ（登録商標）式留め具のループ部材に留めるように配列された複数のフック部材を備える、
被覆機構。
【請求項１３０】
前記第３の部分は、側方に延びる部分を有する少なくとも１つの側を含み、該側方に延びる部分は、該第１の部分上のフック部材に留めるように配列された複数のループ部材を有する少なくとも１つの側を含む、請求項１２９に記載の被覆機構。
【請求項１３１】
前記第２の部分は、親水性材料から成る層を含む、請求項１２９に記載の被覆機構。
【請求項１３２】
前記第１の部分および前記第３の部分は各々、第２の側を有し、該第１の部分の該第２の側は、マジックテープ（登録商標）式留め具のループ部材に留めるように配列された複数のフック部材を備える、請求項２６に記載の被覆機構。
【請求項１３３】
前記第２の部分は、親水性材料から成る層を含む、請求項１３２に記載の被覆機構。
【請求項１３４】
被覆機構であって、
第１の部分、第２の部分、および第３の部分を備え、
該第１の部分は、該第２の部分に連結され、該第２の部分は、該第３の部分に連結され、
該第１の部分および該第３の部分は、弾性材料を備え、
該第１の部分は、接着剤層を含む第１の側、およびマジックテープ（登録商標）式留め具のループ部材に留めるように配列された複数のフック部材を有する第２の側を有する、
被覆機構。
【請求項１３５】
前記第３の部分は、側方に延びる部分を有する少なくとも１つの側を含み、該側方に延びる部分は、前記第１の部分上のフック部材に留めるように配列された複数のループ部材を有する少なくとも１つの側を含む、請求項１３４に記載の被覆機構。
【請求項１３６】
前記第２の部分は、親水性材料から成る、請求項１３４に記載の被覆機構。
【請求項１３７】
前記第２の部分は、親水性材料から成る、請求項３６に記載の被覆機構。
【請求項１３８】
被覆機構であって、
第１の部分、第２の部分、および第３の部分を備え、
該第１の部分は、該第２の部分に連結され、該第２の部分は、該第３の部分に連結され、
該第１の部分および該第３の部分は、弾性材料を備え、
該第１の部分および該第３の部分は各々、第１の側ならびに第２の側を有し、
少なくとも１つの接着剤層を備え、該少なくとも１つの接着剤層は、第１の接着面および第２の接着面を有し、
該第１の接着面は、該第１の部分および該第３の部分のうちの少なくとも１つの該第１の側に連結され、
該少なくとも１つの接着剤層は、遠位端部および近位端部を含み、
障壁層を備え、該障壁層は、該第１の接着面の少なくとも一部分の上に重なり、該第１の接着面の前記少なくとも一部分は、該少なくとも１つの接着剤層の該近位端部に近接して配置されている、
被覆機構。
【請求項１３９】
前記第２の部分は、親水性材料から成る、請求項１３８に記載の被覆機構。
【請求項１４０】
前記第１の部分の前記第２の側は、マジックテープ（登録商標）式留め具のループ部材に留めるように配列された複数のフック部材を備える、請求項１３８に記載の被覆機構。
【請求項１４１】
前記第３の部分は、側方に延びる部分を有する少なくとも１つの側を含み、該側方に延びる部分は、前記第１の部分上のフック部材に留めるように配列された複数のループ部材を有する少なくとも１つの側を含む、請求項１４０に記載の被覆機構。
【請求項１４２】
前記第２の部分は、親水性材料から成る、請求項１４１に記載の被覆機構。
【請求項１４３】
被覆機構であって、
第１の部分、第２の部分、および第３の部分を備え、
該第１の部分は、該第２の部分に連結され、該第２の部分は、該第３の部分に連結され、
該第１の部分および該第３の部分は、弾性材料を備え、
該第１の部分および該第３の部分は各々、第１の側ならびに第２の側を有し、
該第１の部分の該第２の側は、マジックテープ（登録商標）式留め具のループ部材に留めるように配列された複数のフック部材を備える、
被覆機構。
【請求項１４４】
前記第３の部分は、側方に延びる部分を有する少なくとも１つの側を含み、該側方に延びる部分は、前記第１の部分上のフック部材に留めるように配列された複数のループ部材を有する少なくとも１つの側を含む、請求項１４３に記載の被覆機構。
【請求項１４５】
前記第２の部分は、親水性材料から成る、請求項１４３に記載の被覆機構。
【請求項１４６】
被覆材であって、
複数の固定具構造、処置構造、および弾性材料を備え、
該複数の固定具構造うちの少なくとも１つは、第１の側および第２の側を有し、
該弾性材料は、該少なくとも１つの固定具構造から該処置構造へ延び、
該弾性材料は、第１の連結部分および第２の連結部分を含み、該弾性材料は、該第１の連結部分において該少なくとも１つの固定構造体に連結され、かつ該第２の連結部分において該処置構造に連結され、
少なくとも１つの接着剤層を備え、該少なくとも１つの接着剤層は、第１の接着面および第２の接着面を有し、
該第１の接着面は、該複数の固定具構造のうちの少なくとも１つの該第１の側に連結され、
該少なくとも１つの接着剤層は、遠位端部および近位端部を含み、
障壁層を備え、該障壁層は、該第１の接着面の少なくとも一部分の上に重なり、該第１の接着面の少なくとも一部分は、該少なくとも１つの接着剤層の該近位端部に近接して配置されている、
被覆材。
【請求項１４７】
前記処置構造は、親水性材料から成る、請求項５５に記載の被覆材。
【請求項１４８】
前記処置構造は、親水性材料から成る、請求項１４６に記載の被覆材。
【請求項１４９】
前記複数の固定具構造のうちの少なくとも１つの前記第２の側は、マジックテープ（登録商標）式留め具のループ部材に留めるように配列された複数のフック部材を備える、請求項１２６に記載の被覆材。
【請求項１５０】
前記複数の固定具構造の第２をさらに含み、該第２の複数の固定具構造は、側方に延びる部分を有する少なくとも１つの側を含み、該側方に延びる部分は、前記少なくとも１つの固定具構造上のフック部材に留めるように配列された複数のループ部材を有する少なくとも１つの側を含む、請求項１４９に記載の被覆材。
【請求項１５１】
前記処置構造は、親水性材料から成る、請求項１４９に記載の被覆材。
【請求項１５２】
前記複数の固定具構造のうちの少なくとも１つは、第１の側および第２の側を含み、該第２の側は、マジックテープ（登録商標）式留め具に留めるように配列された複数のフック部材を備える、請求項５５に記載の被覆材。
【請求項１５３】
前記複数の固定具構造の第２の構造は、側方に延びる部分を有する少なくとも１つの側を含み、該側方に延びる部分は、該複数の固定具構造のうちの少なくとも１つのフック部材に留めるように配列された複数のループ部材を有する少なくとも１つの側を含む、請求項１５２に記載の被覆材。
【請求項１５４】
前記処置構造は、親水性材料から成る、請求項１５２に記載の被覆材。
【請求項１５５】
被覆材であって、
複数の固定具構造、処置構造、および弾性材料を備え、
該複数の固定具構造のうちの少なくとも１つは、第１の側および第２の側を有し、
該弾性材料は、該少なくとも１つの固定具構造から該処置構造へ延び、
該弾性材料は、第１の連結部分および第２の連結部分を含み、該弾性材料は、該第１の連結部分において該少なくとも１つの固定構造体に連結され、かつ該第２の連結部分において該処置構造に連結され、
少なくとも１つの接着剤層を備え、該少なくとも１つの接着剤層は、第１の接着面および第２の接着面を有し、
該第１の接着面は、該複数の固定具構造のうちの少なくとも１つの該第１の側に連結され、
該複数の固定具構造のうちの少なくとも１つの該第２の側は、マジックテープ（登録商標）式留め具のループ部材に留めるように配列された複数のフック部材を備える、
被覆材。
【請求項１５６】
前記処置構造は、親水性材料から成る、請求項１５５に記載の被覆材。
【請求項１５７】
前記第２の部分は、親水性材料から成る、請求項６９に記載の方法。
【請求項１５８】
表皮位置決め機構であって、
第１の端部分、第２の端部分、及該第１の端部分を該第２の端部分に連結している中央部分を有するストリップ材料を備え、
該第１の端部分、該第２の端部分および該中央部分は各々、第１の側および第２の側を有し、
少なくとも１つの接着剤層を備え、
該少なくとも１つの接着剤層は、第１の接着面および第２の接着面、ならびに遠位端部および近位端部を含み、
該第１の接着面は、該第１の端部分および該第２の端部分のうちの少なくとも１つの該第２の側に連結され、
障壁層を備え、該障壁層は、該第１の接着面の少なくとも一部分の上に重なり、該第１の接着面の少なくとも一部分は、該少なくとも１つの接着剤層の該近位端部に近接して配置され、
複数のパッド部材を有し、該複数のパッド部材は、該中央部分の第２の側に連結されている、
表皮位置決め機構。
【請求項１５９】
前記複数のパッド部材は、親水性材料から成る、請求項１５８に記載の表皮位置決め機構。
【発明の詳細な説明】
【技術分野】
【０００１】
（関連出願：）
本出願は、２００２年４月２６日に出願された先行の米国出願第１０／１３３，２３０号の利益を主張し、米国出願第１０／１３３，２３０号は、２０００年７月１４日に出願された先行の米国出願第０９／６１６，４２６号の利益を主張し、米国出願第０９／６１６，４２６号は、２０００年１月１１日に出願された米国出願第０９／１８０，５７２号の利益を主張し、米国出願第０９／１８０，５７２号は、１９９７年１月１７日に出願されたＰＣＴ出願番号第ＰＣＴ／ＵＳ９７／００８６８号の利益を主張し、ＰＣＴ出願第ＰＣＴ／ＵＳ９７／００８６８号は、１９９６年５月１０日に出願された仮出願第６０／０１７，２５８号の利益を主張する。
【背景技術】
【０００２】
（発明の背景）
本発明は、全体として治癒技術および一般にそれに関連する技術に用いることができる装置に関する。より具体的には、本発明は、限定するものではないが創傷用被覆材、帯具（ｂａｎｄａｇｅ）、薬物送達システム、表皮持ち上げ機構、ならびにヒトおよび／または動物の皮膚の表皮層を所定の方法で位置決めするための位置決め機構を含む種々の目的のために用いることができる装置に関する。従って、本発明は、医学および獣医学に用途を有するものと思われる。
【０００３】
本発明の幾つかの形態は、人体内への気体の流れを向上させるための表皮持ち上げ機構および方法に関し、より具体的には、より多くの酸素が鼻腔を通じて通過することを可能にし、そのようにして肺内への酸素の流れと肺から吐き出される空気の流れとの両方を向上させるための表皮持ち上げ機構ならびに方法に関する。従って、本発明の実施形態はまた、鼻腔拡張装置とも呼ばれる一群の装置にも関する。本発明は、鼻道を通りそして肺内へ入る気体の流量が増加することを可能にするための快適かつ効果的な装置を提供する。
【０００４】
さらに、創傷および／または切開の縫合もしくは洗浄の目的のために創傷の端部を合わせた状態または離した状態に保持するために人が本発明を用いることができる点で、本発明は、帯具ならびに縫合補助の分野における改善でもある。さらに、本発明の装置は、創傷または切開に薬剤あるいは抗菌剤を塗布するために用いることができる。また、本発明の幾つかの実施形態は、創傷の洗浄のような目的のための創傷部位へのアクセスを可能にしながら、創傷または火傷を無菌環境に隔離するためにも用いることができる。さらに、本発明の幾つかの実施形態は、創傷または火傷の周りの皮膚が身体の運動に伴って伸張することがないように、創傷部位または火傷部位を固定するために用いることができ、そのようにして、治癒過程における創傷に対する更なる損傷を防止し、かつ創傷もしくは火傷をより効果的に治癒することができる。
【発明の開示】
【課題を解決するための手段】
【０００５】
（発明の概要）
本発明は、多くの用途を有する。本発明は、全体として、以下の活動を補助するための構造として説明することができる：鼻道を通じた気体（吸気および呼気）の流量を増加させるために人体の鼻梁のいずれかの側に位置する領域のような表皮の所定の領域に持ち上げ力を与えるための表皮持ち上げ機構（例えば鼻腔拡張装置）；切開を開いた状態に保つのを補助するための構造；洗浄のために創傷を開いた状態に保つのを補助するための構造；創傷、火傷、または切開全体にわたって均等な圧力を印加することによって切開あるいは創傷の端部または縁部を閉じていて、きれいで、平らで、揃えられた状態に保ち、これにより処置を要する部位がきれいに治癒するかまたは縫合されて閉じられることができ、そのようにして瘢痕組織の形成を最小限に抑えるのを補助するための構造；あるいはヒトもしくは動物の表皮上の創傷または他の所望の部位に薬剤を塗布するための装置としての表皮位置決め機構。
【０００６】
被覆材としての本発明の用途に関しては、本発明は一般に、第１の部分（ｓｅｃｔｉｏｎ）と、第２の部分と、第３の部分とを備えると説明することができる。これらの３つの部分のうち、第１の部分は第２の部分に連結され、第２の部分は第３の部分に連結されている。第２の部分は、各々が第１の側を有する第１の部分および第３の部分を有する弾性材料を備える。また第１の側の所定の部分は、その上に配置された接着剤を含む。本発明の第２の部分は、所定の大きさおよび所定の形状の複数の開口部を含むことができる。
【０００７】
開口部の所定の形状は所定の方法でそれぞれ互いに対して空間的に構成することができる点に注目されたい。これは、本発明の一実施形態において、第２の部分が第１と第３の部分の間に位置し、かつ好ましくは弾性材料から成っているからである。弾性材料の開口部を所定の位置に配置することにより、弾性材料が伸張される際に、弾性材料の強度を変化させることができ、かつ弾性材料全体にわたる力の分布を変化させることができる。また、開口部の形状は弾性材料が伸張される度合いに応じて変化することになるので、開口部は、第２の部分上に加えられている応力の量およびその部分が十分に伸張されたか否か、或いは過度に伸張されていないかどうかの視覚的基準を使用者に提供するために用いることができる。そのような視覚的基準は、例えば創傷に所定の量の圧力を印加することが望ましい場合には、医療関係者にとって有用であろう。
【０００８】
さらに、第２の部分は、第１の縁（第２の部分が円形である場合は、構造上第２の部分の周辺の少なくとも一部分の近傍に、１つのみの環状の縁がある）および第２の縁を含む。第１の部分は、第１の縁において第２の部分に一体化または連結することができ、また第３の部分は、第２の縁において第２の部分に一体化または連結することができる。
【０００９】
必ずしもそうである必要はないが、第１の部分および第３の部分は第１の層、第２の中間層、および第３の層を備える積層材であり、第３の層は接着剤を塗布された第１の側を含みかつ使用に先立ちシリコーンの剥離ライナによって保護されているのが好ましい。第２の部分は、第１の縁および第２の縁を含む。第１の部分は、第１の縁を受け入れるための、第１の部分の第１の層と第３の層との間に配置された第１の溝を含む。第２の部分は、第２の縁を受け入れるための、第２の部分の第１の層と第３の層との間に配置された第２の溝を含む。第２の中間層は、接着性材料を備える。第２の部分の第１の縁および第２の縁はそれぞれ少なくとも１つの開口部を含み、また第１の縁は第１の溝内で第２の中間層に係合しかつ接着性材料は第１の縁の開口部を通って広がり、第２の縁は第２の溝内で第２の中間層に係合しかつ接着性材料は第２の縁の開口部を通って広がる。
【００１０】
第１の部分の第１と第３の層および第３の部分の第１と第３の層は、幾つかの実施形態では非弾性材料であるのが好ましい。この非弾性材料は、ＴＹＶＥＣブランド型の材料のような任意の適した材料で作ったものでよい。
【００１１】
あるいは、本被覆機構は、第１の部分が第２の部分に連結されそして第２の部分が第３の部分に連結されるように、第１の部分、第２の部分、および第３の部分を備えると説明することもできる。第１の部分および第３の部分は、弾性材料を備え、また第１の部分ならびに第３の部分は各々、第１の側を有し、かつ第１の側の所定の部分は、その上に配置された接着剤を含む。
【００１２】
さらに、第２の部分は、少なくとも１つの所定の大きさの開口部を含み、かつ第１の部分および第３の部分は各々、少なくとも１つの所定の形状を備える開口部を含む。先述のとおり、所定の形状の開口部は、所定の方法でそれぞれ互いに対して空間的に構成されている。
【００１３】
また、第２の部分は、少なくとも１つの縁を含むことができ、かつ第１の部分および第３の部分は各々、それぞれの縁領域を有する。第１の部分の縁は、第２の部分の縁の第１の所定の部分において第２の部分に連結されている。第３の部分の縁は、第２の部分の縁の第２の所定の部分において第２の部分に連結されている。
【００１４】
好ましくは、第２の部分は、少なくとも第１の層、第２の中間層、および第３の層を備える積層材であり、第３の層は第１の側を含む。第１の部分および第３の部分は、第１の部分の縁および第３の部分の縁を含む。第１の部分の縁および第３の部分の縁の両方ともが、弾性材料からなる。第２の部分は、第１と第３の部分の縁を受け入れるために、第２の部分の縁において、第２の部分の第１の層と第３の層との間に配置された少なくとも１つの溝を含む。第２の中間層は、接着性材料を備える。第１の部分の縁および第３の部分の縁はそれぞれ、少なくとも１つの開口部を含み、かつ、第１と第３の部分の縁は、接着性材料が第１と第３の部分の縁を作り上げている材料内に形成された開口部を通って広がるように、それぞれの第１の所定の縁領域ならびに第２の所定の縁領域において、溝内で第２の中間層に係合している。本実施形態では、第２の部分の第１と第３の層は、非弾性材料を備え得る。この非弾性材料は、ポリエステルであってもよい。
【００１５】
さらに、第２の部分は、創傷または火傷を空気にさらすか、もしくは視覚的に観察することができるように、少なくとも１つの開口部あるいは少なくとも１つの概ね透明な部分を含む。さらに、第２の部分は、創傷または火傷を被覆材を除去する必要なく洗浄もしくは治療することができるように、帯具の下の創傷または火傷を洗浄するための機構を含むように修正することも可能であろう。また、第２の部分の少なくとも１つの側は、コロイド型の接着剤を使用して創傷の周りに固体の殺菌剤の障壁を作り出すことによってその側が創傷を清浄な環境に隔離することができるように、もしくは医薬物質を創傷または火傷に直接塗布することができるように創傷または火傷に接触することができるように設計することもできる。
【００１６】
表皮持ち上げ機構としての本発明の特徴に関しては、本表皮持ち上げ機構は、一般に、第１の側および第２の側を有する少なくとも１つのストリップ材料を備えると説明することができ、該ストリップ材料はさらに、第１の端部分ならびに第２の端部分を含む。第１の側と第２の側の間には、所定の材料で作られた１つまたはそれ以上の層があるのが好ましい。
【００１７】
これらの材料層は、限定することなく、シリコーンを塗布した剥離ライナ、表皮持ち上げ機構を鼻に接着させるための接着システム、最上の材料層、およびバネ機構を含む。当然、剥離ライナは、表皮持ち上げ機構を鼻梁上に配置する前に除去される。接着システムは、被覆機構用の接着システムと同様に、感圧低アレルギー誘発性アクリル系材料または親水コロイド材料を含むことができるが、任意の適した接着システムを用いてもよい。最上層の材料は、不織材料または３ミルのポリウレタンフィルムのような多少の伸張特性を有する材料とすることができる。バネ機構は、スパンボンドポリエステル材料に積層したポリエステルフィルム（通常厚さ２ミル〜８ミルであるが、任意の適した厚さ範囲を用いてもよく、例えば、１ミル〜１５ミルは代替的厚さ範囲として好適であろうが、所望の用途および耐久性に応じて任意の厚さ範囲を用いることができる）を備えることができる。このスパンボンドポリエステル材料には、感圧接着剤を塗布しても、しなくてもよい。バネ機構は、共に積層された複数の材料であることができる。
【００１８】
一体となっているが、本機構は、１対の鼻ポッドおよびブリッジ部分を構成部品として有する。鼻ポッドは、鼻の両側の皮膚に結合される露出した接着性表面を含む。本装置のブリッジ部分は、それが鼻梁に当てがわれたときに鼻梁に位置する少なくとも１つの支点を有し、かつ鼻梁を跨いで位置する。
【００１９】
しかしながら、本発明は本装置のブリッジ部分を鼻梁の頂点で終了してそこに接着し、単に鼻の片側に当てがうこともできることにも留意されたい。代替的に、ブリッジ部分は、単に、接着性材料を用いることによって一方の端部において装着者の頬に接続され、かつ鼻ポッドがもう一方の端部において鼻道の側部に接続されるバネ性または弾性の材料で作ったストリップとすることも可能であろう。
【００２０】
鼻ポッドに関しては、接着剤層を通って最上の材料層内に作られた馬蹄形のスリットまたは切断部を含むのが好ましく、それによって、鼻に貼付されたときに、バネ作用が吸盤のような方法で均等な持ち上げ力を生成することができ、同時にスリット構造の存在によって、持ち上げ力ではなく剪断力を接着剤自体に印加し、それにより持ち上げ点から接着点まで可撓性が生成されることに留意されたい。接着剤上の持ち上げ（剥離）力を減少させることにより、接着剤と皮膚との間の結合の安定性が著しく増大し、かつ顔面の運動中における本拡張装置の可撓性を増すことができる。従って、本拡張装置は、鼻腔拡張装置以外の用途に用いる場合にさえも、装着者による活発な運動中においてさえも、快適に所定の位置に留まることになる。接着剤上の持ち上げ（剥離）力は、非接着性材料から成る同延の、上に重なる障壁層の使用によりさらに減少させることができる。非接着性の、上に重なる障壁層は、好ましくは、非接着性の領域が接着剤層とポッドの間に作り出されるように、接着性材料の一部分とポッド材料の間に配置される。
【００２１】
本表皮持ち上げ機構のブリッジ部分に隣接して取り付けられた一対のフラップは、鼻梁（支点１）と接着性材料の間に別の一対の支点（支点２）を生成し、それにより鼻道の外側表皮の拡張力を増大させる。付加的な支点は、ブリッジ部分に隣接するフラップを表皮持ち上げ機構の下に折りたたむことにより達成され、それにより各フラップの接着領域を表皮持ち上げ機構のブリッジ部分の下の接着領域に接着させ、表皮持ち上げ機構を所定の位置に固定することができる。フラップは、容易に折りたためるように、ミシン目を含む。
【００２２】
上に論じたように、一対のフラップは、付加的な支点を生成する。さらに、折りたたまれると、それらは、鼻梁に対してクッション性のある領域となり、表皮持ち上げ機構の下側の接着剤を覆い、従って、数時間貼付されその後除去される際に鼻梁の皮膚組織に対する不快さが解消される。
【００２３】
上と下のバネ積層板が共に積層され、そして表皮持ち上げ機構が鼻に貼付されると、多層バネ装置のたわみが、単層バネよりも鼻道に対する拡張力を増大させる。１つのバネ材料層をもう１つのバネ材料層の上に追加することにより、重ね板バネ作用が生成される。支点の上で曲げられる際に上層内に伸張力が導入されるため、同じ厚さの単層バネに比較してより強いバネ作用が生成される。またさらに、１つの支点または複数の支点の上において曲げることにより、バネ作用がさらに向上する。
【００２４】
さらに、下のバネに可撓性を与えるためおよび／またはポッドがそれらを貼付する鼻もしくは表皮層の不定形の表面に適合することができるように、様々なポッド構造を用いることができる。さらに、支点は、その間に弾性材料を有する２つの間隔を置いて配置されたパッド構造を使用することによって与えることができる。
【００２５】
本機構の主要な利点は、人がその心拍数を増加させる身体活動に従事している際にいつでも、本機構によってより多くの酸素を肺に送達することができる点である。さらに、本機構によってより多くの空気を効果的に吐き出すことができ、その結果、吸気と呼気の両方が高められ、従って、全体的な呼吸効率が向上する。
【００２６】
あるいは、本発明は、鼻道を通じた気体の流量を増大させる方法として説明することもでき、本方法は、鼻ポッドの接着性材料が鼻の両側と確実に接触するようにバネ材料を鼻梁の上で曲げることによって表皮持ち上げ機構を貼付するステップと、鼻ポッドを開放し、そうすることによってバネが機械的に鼻の表皮表面を持ち上げ、そして鼻道開口部の大きさを増大させるステップとを含む。
【００２７】
あるいは、本発明は、各々が他方から独立して作用することができる２つの別個の部品（ｐｉｅｃｅ）を備える鼻腔拡張装置として用いることができる構造であってもよい。各部品は、少なくとも１つの鼻ポッドおよびその鼻ポッドに取り付けられた弾性の部材またはストリップを有する。弾性の部材またはストリップは、第１の端部および第２の端部を有し、鼻ポッドは、第１の端部に取り付けられている。弾性部材は、固定機構に取り付けられた第２の端部を有する。固定機構は、第１の側およびその上に含まれた接着性材料を有する。この鼻ポッドは、鼻ポッドに関して前述した構造を有する。固定機構は、弾性部材に連結された鼻ポッドを人体の鼻の鼻道周辺の外側表面または表皮に貼付することができ、かつ弾性部材が固定機構と鼻ポッドの間で収縮し、その結果鼻の側部の表皮を持ち上げ、それにより鼻腔通路の開口度を高めるように、十分な距離だけ人体の鼻の側部から離して人体の頬上の所定の領域に貼付される。
【００２８】
従って、本発明は、第１の末端部品および第２の部品に連結された弾性材料を有する表皮位置決め機構とみなすことができる。第１と第２の末端部品は各々、接着性材料を含む少なくとも１つの側を有する。必ずしもそうである必要はないが、本発明の用途に応じ、末端部品のうちの少なくとも１つは固定構造体または固定機構であり、一方でもう１つの末端部品は持ち上げ用末端部品として作用するのが好ましい。
【００２９】
さらに、本発明は、唯一鼻腔拡張装置としてのみ用いられる必要はなく、前述のとおり、外科的処置もしくは創傷または切開の洗浄のような医療処置の目的で創傷または切開を開いた状態に保つことによるか、あるいは、創傷の縫合を補助するためかまたはそれ自体で自然に創傷の端部を合わせて保持するかもしくは切開の端部を合わせて保持するための縫合機構として単に用いるために創傷の端部を共に密接して配置することによる、創傷および切開の処置のための表皮位置決めシステムとしても用いることができる。
【００３０】
さらに、本発明の装置が創傷の上に用いられる場合、それは、帯具としての用途をも有することができる。例えば、弾性またはバネ性の材料は、創傷部位または切開部位の上にかつそれに隣接して配置された少なくとも１つの側を有する。この創傷部位または切開部位の上にもしくはそれに隣接して配置された側は、その上に塗布された医薬物質を有することができる。この医薬物質は、例えば、クロム酸亜鉛またはアルギン酸塩様カルシウムもしくはアルギン酸ナトリウムであることができ、それらの物質の各々が、それぞれ、抗菌力および凝固増強能を有する。他の医薬物質も、または非医薬物質でさえも、特定の使用者の所望の目的および結果に応じ、本発明の装置を用いて塗布することができるであろう。
【００３１】
本発明の表皮位置決め機構を帯具として用いる場合、帯具構造体は、帯具構造体が少なくとも第１の端部および第２の端部を有しかつ弾性材料が第１の端部と第２の端部に連結され、さらに固定構造体が弾性材料の一部分に連結されるように帯具構造体を本発明と組み合わせることができる点に留意されたい。これが、帯具構造体に連結されていないバネ性の弾性材料の端部に少なくとも２つの固定点を提供することになろう。このようにして、固定具構造の１つを所定の位置において皮膚に接着し、そしてバネ性または弾性の材料を伸張することにより帯具構造体を創傷または切開の上に配置することができ、その後もう一方の固定構造体を別の所定の位置において皮膚に貼付することができる。このようにして、弾性材料が収縮することになり、これが帯具材料を創傷とさらに確実に接触させる効果を有することになり、それにより帯具材料の有効性を高める。所望であれば、薬用化合物を創傷または切開の表面に隣接する帯具材料の表面に塗布することもできるであろう。さらに、帯具材料は、親水性材料から成ることができる。
【００３２】
そのような用途における固定構造体は、もちろん、所定の位置において弾性材料に連結された少なくとも２つの末端部品を備え、かつ、該末端部品は、それらを装着することになる表皮または皮膚に隣接する固定用末端部品の１つの側に付着された接着性材料を含むことになろう。弾性材料に関して前述したとおり、帯具構造体は、それに塗布された医薬物質を有することもできるであろう。接着性材料は、固定用末端部品の１つの側と同延の接着剤層として広がってもよく、あるいは、固定用末端部品の１つの側の所定の部分の上に広がってもよい。前の実施形態に関して論じたように、非接着性材料から成る同延の上に重なる障壁層を設けてもよい。この非接着性の上に重なる障壁層は、接着性材料の一部分と末端部品材料との間に配置されるのが好ましい。
【００３３】
さらに、本発明の機構は、弾性材料または伸張可能な材料を介して接続された固定具／持ち上げ部分を有しかつ接着性表面を含む表皮持ち上げ機構として説明することも可能である。固定具／持ち上げ部分は、それが適用される場所に応じて、各部分が固定部分または持ち上げ部分として作用することができるようになっている。固定具／持ち上げ部分は、各固定具／持ち上げ部分を複数の接着性領域に分割する複数の所定の形状の切り込みまたは切断部を有する。この固定具／持ち上げ部分の複数の接着性領域への分割によって、第１の固定具／持ち上げ部分が所望の表皮位置に貼付された後に、その第１の固定／持ち上げ機構の第１の所定の部分を剥ぎ取って、複数の切断部または切り込みによって所定の形状を有する第２の所定の部分を、表皮位置上の所定の位置に残すことができるように、固定具／持ち上げ部分の接着性領域を分割することが可能となる。その後、弾性材料を介して第１の固定具／持ち上げ部分に接続された第２の固定具／持ち上げ部分を、弾性材料が所望の量だけ伸張されるように第２の所定のまたは所望の表皮位置に貼付することができる。それが第１の固定具／持ち上げ部分と実質的に同様である場合、第２の固定具／持ち上げ部分は、それを剥ぎ取って、複数の切断部または切り込みによって所定の形状を有する第２の所定の部分を、表皮位置上の所定の位置に残すことができるように表皮に貼付することができる。その結果、第１と第２の固定具／持ち上げ部分は、別個の固定点および持ち上げ点として、または別個の固定点として、もしくは別個の持ち上げ点として作用することができ、また弾性材料は、単に各点間に張力を与えるために用いても、２つの点間に位置する表皮に薬剤のような物質を塗布するために用いても、あるいは２つの点間に張力を与え、かつ物質を塗布するため等に用いてもよい。
【００３４】
説明した本装置に対してマジックテープ（登録商標）式固定手段を設けることは本発明の範囲内にあることを理解されたい。一例として、マジックテープ（登録商標）式固定手段は、接着剤と組み合わせて、または手足に装置を当てがう唯一の手段として用いることができる。
【００３５】
さらに、本発明は、被覆機構を用いる方法として説明することができ、その場合、本被覆機構は、第１の部分、第２の部分、および第３の部分を備え、第１の部分は第２の部分に連結され、第２の部分は第３の部分に連結され、第１の部分および第３の部分は弾性材料を備え、第１の部分および第３の部分は各々第１の側を有し、第１の側の所定の部分は、その上に配置された接着剤を含む。従って、本方法は、第１番目に、
第１の部分を表皮上の第１の所定の位置に貼付する工程と、第２番目に、第３の部分を表皮上の第２の所定の位置へ向けて引っ張る工程と、第３番目に、第３の部分を表皮上の第２の所定の位置に貼付する工程とを包含する。
【００３６】
あるいは、本方法は、複数の固定構造体、処置部分、および弾性材料を備える被覆材を用いる方法として説明することもできるであろう。弾性材料は、固定構造体から処置部分まで延びる。弾性材料は、第１の連結部分において少なくとも１つの固定構造体に連結され、第２の連結部分において処置部分に連結されている。本方法は、処置部分を表皮の第１の所定の領域の上に配置する工程と、少なくとも１つの固定構造体を表皮の第２の所定の領域に貼付する工程と、もう一方の固定構造体を表皮の第３の所定の領域に貼付する工程とを包含する。
【００３７】
（詳細な説明）
当業者が本発明を実施することができるようにするために、本明細書の開示内容を詳細かつ正確であるが、本明細書中に開示した物理的実施形態は、他の特定の構造に具体化することができる本発明を単に例証するものに過ぎない。好ましい実施形態を説明してきたが、その詳細は、特許請求の範囲によって定義される本発明を逸脱することなく変更することができる。
【００３８】
本発明は、鼻道を通じた気体の流量を増加させるために、鼻梁のような所定の表皮領域に持ち上げ力を与えるための表皮持ち上げ機構を備えており、以下の詳細な説明では、全体を１０として参照する。
【００３９】
図１および図１Ａを参照すると、先行技術の装置が示されている。図１に示されている先行技術の装置は現在、ミネソタ州Ｃｈａｎｈａｓｓｅｎ所在のＣＮＳ,  Ｉｎｃ.によって市場に出され、ＢＲＥＡＴＨＥ  ＲＩＧＨＴの商標の下に販売されている。同じ装置が図１Ａに示されているが、図１Ａの装置は本発明のフラップを含んでおり、その構造および利点を以下に詳細に論じる。
【００４０】
図２に示すように、全体を参照数字１０で示す本発明は、２部分から成る多層重ね板バネ２０を含む。この２部分から成る多層重ね板バネ２０は、一対のバネ薄板２２および２４を備える。各バネ薄板２２および２４は、スパンボンドポリエステル材料に積層した２ミル〜８ミルのポリエステルフィルムで製造されている。スパンボンドポリエステル材料は、感圧接着剤を塗布してもしなくてもよい。バネ薄板２２および２４は、共に積層される。
【００４１】
図３に示すように、上バネ薄板２４と下バネ薄板２２が共に積層され、本発明１０が支点２６で表す鼻梁に当てがわれると、多層バネ２０のたわみが、鼻道に対する開口力を単層バネよりも増大させる。
【００４２】
１層のバネ材２４をもう１層のバネ材２２の上に追加することにより、重ね板バネ作用が生成される。支点の上で曲げられる際に上層２４内に伸張力が導入されるため、同じ厚さの単層バネに比べてより強い（複合）バネ作用が生成される。さらに、支点の上で曲げることにより、さらにより強いバネ作用が生成される。
【００４３】
ここで図４および図１８を参照すると、本発明１０の材料層は、シリコーンを塗布した剥離ライナ３０、表皮持ち上げ機構１０を鼻に接着させるための接着システム４０、最上の材料層５０、および２部分から成るバネ積層板２０を含んでいる。図１８に示すように、最上層５０は、２つの材料層５０Ａおよび５０Ｂで構成されており、それらの間にバネ２４ならびに２２を含んでいる。剥離ライナ３０は、機構１０を鼻梁上に配置する前に除去される。接着システム４０は、感圧低アレルギー誘発性アクリルシステムまたは親水コロイドシステムのいずれかであり得る。最上の材料層５０は、不織材料または３ミルポリウレタンフィルムのような多少の伸縮性を有する材料のいずれかであり得る。
【００４４】
本発明１０の好ましい実施形態を図７に示す。構造上は一体であるが、これは、構成要素として１対のポッド６０およびブリッジ部分７０を有する。ポッド６０は、鼻の両側の皮膚に結合される露出した接着面６２を含んでいる。ポッド６０の構造が、下バネ２２の可撓性を可能にし、鼻の凹凸のある表面に適合する。本装置のブリッジ部分７０は、少なくとも１つの図３に示すような支点を有しており、そして図１５に示すように、鼻梁を越えて位置する。
【００４５】
図６に示すように、ポッド６０は、接着剤層４０を通って最上の材料層５０内に馬蹄形の切断部分または切り込み６４を含んでおり、それによって、鼻に貼付したときに、バネ作用が吸盤のような方法で均一な持ち上げ力を生成することができ、同時に剥離力ではなく剪断力を粘着剤自体に印加し、それにより持ち上げ点から接着点まで可撓性が生成される。この原理を図５に明示する。接着剤４０上の剥離力４２を減少させることにより、接着剤４０と皮膚との間の結合が著しく増大し、顔面の運動中における表皮持ち上げ機構１０の可撓性をより大きくすることが可能となる。剪断力は、４４に示されている。
【００４６】
図７に戻ってこれを参照すると、本発明１０は、本発明１０のブリッジ部分７０に隣接して取り付けられた一対のフラップ８０を含むことによりさらに改良することができる。フラップ８０は、ブリッジ部分７０の接着剤層４０の下または上に折りたたまれると、本発明１０が装着者の鼻に貼付されたときに鼻梁（支点２）とポッド６０との間の線８２に沿ってもう一対の支点を生成する。従って、フラップ８０は、折りたたまれると、鼻道の外皮に対する拡張力を高めるように機能する。
【００４７】
より具体的に説明すると、付加的支点８２は、フラップ８０をブリッジ部分７０の下に折りたたむことにより達成され、それにより各フラップ８４の接着領域がブリッジ部分７０の下側に接着することが可能となり、その結果それを所定の位置に固定することができる。フラップ８０は、簡単に折りたためるように、ミシン目８６をさらに含んでいる。
【００４８】
上に論じたように、一対のフラップ８０が支点を追加する。従って、フラップ８０が折りたたまれると、それらは、鼻梁のいずれかの側に位置することになる線８２に沿って端部分を形成する。線８２に沿った端部分の各々が、鼻梁とは別の支点として機能することになり、それにより支点の数および本発明の機械的持ち上げ力が増大する。さらに、折りたたまれた際に、それらが鼻梁に対してクッション性を有する領域となり、ブリッジ部分７０の下側上の接着剤４０を覆う。このため、数時間貼っておいた後に除去しても、フラップにより作り出される障壁によって接着剤が全く鼻梁と接触していないので、鼻梁上の皮膚組織に対する不快さが著しく減少するかまたは解消される。
【００４９】
本発明１０の材料層を図８に示す。先に述べたとおり、層は、シリコーンを塗布した剥離ライナ３０、表皮持ち上げ機構１０を鼻に接着させるための接着システム４０、第１のバネ薄板２２、第２のバネ薄板２４、および最上の材料層５０を含む。
【００５０】
本発明１０の代替的実施形態を図９〜図１４に示す。図９では、ポッド６０の形状は、円形ではなく長方形に示されている。図１０では、馬蹄形の切断部または切り込み６４が除去され、付加的なスリット６６および６６Ａが追加されている。本実施形態では、フラップ８０が上に折り重なっていないときには、スリット６６Ａが剥離作用を剪断作用に対して機械的に調整し、それにより所定の表皮領域の上により大きい接着力を与えることができる。さらに、本実施形態では、本発明１０を部分１３および１５に分割するために、切断部を線１００に沿って作り、それにより部分１３を切り捨てて部分１５を人体の鼻の片側のみに対する拡張装置として用い得る。
【００５１】
図１１に示す実施形態は、スリット６６を含み、かつ２部分から成るポッド６０をさらに含んでいる。ポッド６０は、上側のポッド半分６８および下側のポッド半分６９を備えている。ポッドの半分６８および６９ならびにスリット６６により、装着者の鼻上でのポッド６０の可撓性をより大きくすることができる。
【００５２】
図１２に示す実施形態は、ブリッジ部分７０の幅が拡大されている点を除き、図１０に示すものと同様である。図１３の実施形態は、長方形のポッド６０と組み合わせてさらに幅の広いブリッジ部分７０を含んでいる。付加的なスリット６７も、ポッド６０の外側近傍に追加されている。スリット６７は、ポッド６０に印加される力の方向を、剥離力（ポッド６０をそれらが貼付されている表皮から剥ぎ取るようにする力）ではなく垂直の力（ポッド６０をそれらが貼付されている表皮全体にわたって引っ張るようにする力）になるように変える。
【００５３】
図１４に描いた実施形態は、異なるポッド６０の構造を同じ表皮持ち上げ機構１０に用いることができるという原理を実証するものである。左側に示すポッド６０は、鼻の側部により良く接着することができるように、傾斜した面を有する。
【００５４】
本発明１０の装着者の鼻への貼付状態を図１５〜図１７に示す。鼻梁上への表皮持ち上げ機構１０の好ましい取り付け方法を図１５に示しているが、図１６では、表皮持ち上げ機構１０が鼻上の高すぎる位置に貼付され、また図１７では、低すぎる位置に貼付されている。しかしながら、図１６および図１７に示す位置は好ましくはないが、それらは、本発明１０の構造が使用者に比較的広い表皮領域の上に本発明１０を貼付する力を与え、その結果本発明の有効性が著しく向上するので、実質的に有効である。本発明は、図１５〜図１７に示す全ての位置において全体的に有効に機能することになる。
【００５５】
あるいは、本発明１０は、剥離ライナ３０を除去するステップと、装着者の快適さに応じて図１５に示すようにまたは図１６および図１７に示すように本発明１０を配置するステップとを含む、鼻道を通る気体の流量を増大させる方法として説明することもできる。
【００５６】
ここで図１９を参照する。本発明１０の代替的実施形態の上面図から、端部１１１および１１２を有する弾性の中央部分１１０を備えていることがわかる。端部１１１および１１２は、ポッド部分６０に連結されている。本実施形態は、弾性部分１１０以外にはバネ機構を一切含んでおらず、弾性部分１１０がバネ機構の代わりとなっている。弾性部分１１０のバネ性により、弾性部材が収縮する際に２つの鼻ポッド６０が共に引っ張られることになる。これが鼻梁のような支点の上で行われれば、それにより鼻道が持ち上がる結果となり、従って、図２６に示すように、鼻拡張装置として用いることができる。
【００５７】
さらに、図１９の機構は、図２４に示すように治癒の目的で創傷または切開１７を閉じた状態に保持するのを補助するために、もしくは図２５に示すように縫合を補助する目的で、図２４および図２５に示すように用いることができる。ポッド６０が創傷のいずれかの側の表皮に接着し、そして弾性部材１１０が創傷を跨いで伸張されると、これにより弾性部材１１０が収縮して２つのポッド６０を互いに向けて引っ張ることになり、それによって創傷が効果的な方法で閉じられる。さらに、この方法で創傷が閉じられると、外科医または治療者は、両手を自由にして創傷もしくは切開１７に沿って縫合１１５を施すことができる。これは、大規模な創傷または切開を処置する場合に特に有用であると思われる。
【００５８】
図１９に示す本発明の実施形態に関しては、Ｕ形の切断部または切り込み６４も図示されていることに留意されたい。先に述べたとおり、Ｕ形または馬蹄形が好ましいが、これらの切断部または切り込みは、どのような形状であってもよい。しかしながら、図１９に開示した実施形態は、これらのＵ形または馬蹄形の切断部または切り込み６４と共に機能することができるであろう。
【００５９】
ここで図２０を参照すると、鼻拡張装置として用いるための本発明の代替的実施形態が示されている。本実施形態には図１８に示すようなバネ部分が含まれているが、それらは、図２０には示していない。本実施形態は、図１０の実施形態と同様の方法で機能するものであり、本発明の鼻腔拡張装置は人体の鼻１９の片側にのみ貼付することもできることをもう一度例示しているにすぎない。
【００６０】
ここで図２１を参照すると、本発明の別の代替的実施形態が上面図で示されており、端部１１２においてポッド６０に連結されかつ端部１１１において固定具１２０に連結された弾性部材１１０を示している。固定具１２０は、ポッド６０に施された接着剤層と同じ方法でそれに施された接着剤層を有する。図２１に示す本発明１０の実施形態は、図２３に示すように、外科的処置または洗浄の目的で切開を開いた状態にもしくは創傷を開いた状態に維持するための、あるいは図２２に示すように、人体の鼻の片側にのみ貼付するための鼻腔拡張装置として用いるための用途を有する。
【００６１】
図２２を参照すると、ポッド６０が人体の鼻１９の側部に貼付されているのを見ることができ、また、固定具１２０を人体の顔面１９Ａの側部に貼付することができるように、弾性部材１１０が伸張されている。従って、弾性部材１１０は、収縮してポッド６０および固定具１２０を互いに向けて引っ張ることになるが、固定具１２０が人体の顔面の実質的に静止した表皮領域上に配置されているので、運動の大部分はポッド６０において生じることになり、ポッド６０が貼付された表皮領域が外側へ引っ張られ、その結果鼻道が広げられる。
【００６２】
図２３を参照すると、図２１に開示した実施形態の作用によって切開１７が開いた状態に保持されているのを見ることができる。固定具１２０は実質的に静止した表皮領域に貼付され、弾性部材１１０は伸張され、ポッド６０は、創傷を洗浄することができるかあるいは切開を通して外科的処置を行うことができるように創傷または切開を開いた状態に保持するために、創傷または切開のいずれかの側に配置され、そのようにして治療者の両手をこの目的のために自由にしている。
【００６３】
Ｕ形の切断部６４が図２１に示す本発明１０の実施形態に開示されていることに留意されたい。これらのＵ形の切断部は好ましいが、それらは、本発明を実施するのに必要であるとみなされるものではない。
【００６４】
ここで図２８、図２９および図３０を参照すると、図２８は、鼻１９および鼻道１１９を断面図で示している。図２８の鼻道は開いた状態で示されているが、鼻腔拡張装置は全く使用されていない。図２９に同じ断面図が示されているが、鼻１９、詳細には鼻道１１９が、鼻道１１９を通る空気流が相対的に少ない状態で示されている。図３０は、本発明１０の鼻腔拡張装置を用いた断面図を示しており、ここでは、鼻１９の鼻道１１９は、鼻道１１９を通る空気流のために十分に広がった状態に保持されている。
【００６５】
明らかに、図１９および図２１に示す代替的実施形態も、先に開示した方法に従って実施することができるであろう。具体的に説明すると、図１９の実施形態は、先に説明した構造を用いる方法として実施することができ、その方法では、図１９に開示した実施形態は、最初に１つの鼻ポッド部分６０を創傷１７の一方の側に貼付し、そして弾性部材１１０を創傷１７の上に伸張し、次いで鼻ポッド部分６０を創傷または切開１７の他方の側もしくは反対側に貼付することにより適用され、それにより創傷または切開１７が閉じた状態に保持される。さらに、創傷または切開１７に隣接することになる弾性部材１１０の表面の一部分の上に医薬物質を塗布し、そのようにして創傷の治癒を補助することができることに留意されたい。クロム酸亜鉛またはアルギン酸カルシウムもしくはアルギン酸ナトリウムのような医薬物質が、考えられるそのような化合物である。
【００６６】
あるいは、図２１の実施形態は、引っ張るかまたは上昇させることが所望される表皮領域にポッド６０を貼付する方法に用いることもできるであろう。この表皮領域は、切開または創傷１７に直に隣接する領域もしくは人体の鼻１９の側部の表皮である可能性がある。弾性部材１１０が伸張され、固定具部分１２０がその接着面によって比較的静止した表皮領域に貼付され、弾性材料１１０が収縮し、それによりポッド６０がその接着面を介して装着されている皮膚を上昇させるか引っ張るかもしくは持ち上げる。
【００６７】
あるいは、図３１、図３２、および図３３に示すように、本発明の機構は、弾性または伸張可能な材料１１０を介して接続されかつ接着性の表面１２１を含む固定具／持ち上げ部分１２０を有する表皮持ち上げ機構として説明することもできるであろう。固定具／持ち上げ部分１２０は、それが貼付される場所に応じて、各部分１２０が固定具部分１２０または持ち上げ部分１２０として機能することができるようになっている。固定具／持ち上げ部分１２０は複数の所定の形状の（例えば、図３１〜図３３に示すようなＵ形の）切り込みまたは切断部６４を有しており、それらが、各固定具／持ち上げ部分１２０を複数の接着領域１２１ａおよび１２１ｂに分割している。この固定具／持ち上げ部分１２０の複数の接着領域１２１への分割により、第１の固定具／持ち上げ部分１２３を所望の表皮位置に貼付した後にその第１の固定具／持ち上げ部分１２０の第１の所定の部分１２１ｃを剥ぎ取って複数の切断部または切り込み６４によってあらかじめ定められた形状を有する第２の所定の部分１２１ｄを表皮位置上の所定の位置に残しておくことができるように固定具／持ち上げ部分の接着領域１２１を分割することが可能となる。その後、弾性材料１１０を介して第１の固定具／持ち上げ部分１２３に接続された第２の固定具／持ち上げ部分１２５を、弾性材料１１０が所望の量だけ伸張されるように、第２の所定の表皮位置または所望の表皮位置に貼付することができる。第２の固定具／持ち上げ部分１２５は、それが第１の固定具／持ち上げ部分１２３と実質的に同様である場合、それを剥ぎ取って複数の切断部または切り込み６４によってあらかじめ定められた形状を有する第２の所定の部分１２１ｄを表皮位置上の所定の位置に残しておくことができるように表皮に貼付することができる。従って、第１と第２の固定具／持ち上げ部分１２３および１２５は、別個の固定点ならびに持ち上げ点として、あるいは別個の固定点として、もしくは別個の持ち上げ点として機能することができ、また弾性材料１１０は、単に点１２３と点１２５の間に張力を与えるために用いてもよく、あるいは２つの点の間に位置する表皮に薬剤のような物質を塗布するためにそれを用いてもよく、もしくは２つの点の間に張力を与えかつ物質を塗布するため等にそれを用いてもよい。本代替的実施形態の目的は、固定具／持ち上げ部分１２０がそれらの所望の位置において適切な接着を維持するように、本設計を用いて生成される複数の剪断点２００の利点を活かし、所望の表皮位置に対する本実施形態の接着力を高めることである。
【００６８】
ここで図３５および図３６参照すると、本発明の別の代替的実施形態を観察することができる。被覆構造３００は、その固定具部分３０１および３０３が多層または積層材３０２から成り、その中央部分３２５がラテックスゴム３２１から成っている。積層材は、ＴＹＶＥＣブランドの材料で作られた上面３１５を含み、下面３１９も同じ材料で作られているが、低アレルギー誘発性のアクリル系接着剤３２７が塗布され、シリコーンの剥離ライナで覆われている。固定具部分３０１および３０３は、表皮１１に接着するための接着性の下層３１１を有する。積層材３０２は、溝またはスリット３１３を有し、その中にラテックスゴム３２１の縁３１７が係合する。縁３１７は、開口部３０４を含み、溝３１３は、下３１９から上３１５まで開口部３０４を通って広がる接着剤３２７を含んでいる。これが、一連の接着性開口部３０４を作り出し、開口部３０４は、開口部３０４を通って延びて上層３１５を下層３１９に連結するプラグとしての機能を果たし、非弾性のＴＹＶＥＣ材料を効果的に共に保持し、これによってラテックス材料３２１が効果的に溝３１３内に固定され、伸張された際の張力によっては容易に除去することができない。その結果、縁３１７は、固定部分３１７ａにおいて固定具部分３０１および３０３に固定される。
【００６９】
引き続き図３５および図３６を参照すると、中央部分３２５が接着剤３２７を含むラテックス３２１内で開口部３１６を介してガーゼのパッド３１４に結合されたＴＹＶＥＣブランドの材料で作られた固定部分３２３を含んでいるのを観察することができる。接着剤３２７は、プラグのような様式でパッド３１４から固定部分３２３まで延びている。これが、固定部分３０１および３０３間においてラテックス３２１によって懸架された帯具または被覆構造を作り出している。さらに、図５１および図５２によって示すように、ＴＹＶＥＣの最上層３２３の形状は、長方形である必要はなく、任意の設計、例えば円形とすることができる。本実施形態が表皮１１の創傷領域または他の所定の領域の上に貼付されると、ラテックス材料３２１が２つの固定部分３０１および３０３の間で伸張され、それによりラテックス３２１が重ね板バネに酷似する作用を示し、そしてパッド３１４を介して下方に正圧を印加する。その結果、本装置３００が貼付された創傷は、それに対抗する正圧を有することになる。応急処置においては創傷に印加される圧力が出血を減少させる役に立つことになることが周知である。従って、本発明は、創傷からの出血を効果的に制限することにもなる効果的な帯具を提供する。さらに、正の下方圧力は、周囲表皮１１の運動にかかわらずパッド３１４の創傷または他の所定の領域との接触を効果的に維持することになる。
【００７０】
引き続き図３５および図３６を参照し、本発明の商業的利用においては使用以前には被覆構造３００を比較的剛性に保つための材料を提供することが望ましいと現在考えられていることを示すために安定用ストリップ３１０が含まれていることに留意されたい。ストリップ３１０は、使用に先立ってミシン目３０８に沿って材料３０２を引き剥がすことにより除去される。ストリップ３１０は、隙間３１８によってラテックス３２１と分離されている。また、図３６には、ラテックス３２１全体にわたって均等な圧力が加えられるように、本被覆構造３００が貼付される際に張力緩和となると考えられる湾曲３２０が示されている。
【００７１】
図３７および図３８にも示す開口部３１２にも留意されたい。開口部３１２は、ラテックス３２１の張力調整部分４１２に配置されている。ラテックス部分３２１に印加される張力は、開口部３１２の数またはそれらが存在するか否かに依存する。さらに、ラテックス３２１の張力調整部分４１２が被覆構造３００を貼付するために伸張されるにつれて、開口部３１２が変形することになる。伸張が大きいほど、ラテックス部分３２１に印加される張力は大きくなる。従って、本明細書に開示した被覆構造を貼付している人間は、ラテックス部分３２１に印加された張力の量を視覚的に認識することができる。これにより、被覆材３００または連続した被覆材３００を貼付している人間は、ラテックス３２１の伸張によって加えられる圧力が比較的一定に保たれるような方法で被覆材３００を貼付することができる。あるいは、それによって使用者が所望の治療部位全体にわたって様々な圧力を印加することになる被覆材３００を貼付することができるとも言える。
【００７２】
図３７および図３８を参照すると、弾性部分３２２のみが残るようにパッド３１４および非弾性材料３２３が組み込まれていない図３５ならびに図３６に示すものの代替的実施形態を見ることができる。
【００７３】
図４１および図４２、ならびに図４５および図４６を参照すると、本発明の別の代替的実施形態が示されている。本実施形態は、２つの付加的固定具部分３０５および３０７が追加されている点を除き、図３５ならびに図３６に開示した実施形態と構造上は実質的に同一である。また、安定化部分３２３は、形状が長方形ではなく円形である。前述したように、パッド３１４は、安定化部分に連結されている。図４０および図４１は、張力調整部分４１２が全て同じレベルの張力を印加する必要はないこと、もしくは均等に伸張される必要はないことを示している。さらに、固定具部分３０１、３０３、３０５、および３０７は、互いに相対的に移動させることができ、その一方で、中心部分３２５は、所望の治療部位を覆った所定の位置に維持される。従って、肘、膝、または手のような運動に供される身体の領域の上に本発明が貼付されている際に、中央部分３２５は、創傷もしくは治療を施すことが所望される領域を覆ったその位置を維持することになる。
【００７４】
図３９および図４０を参照すると、別の代替的実施形態を観察することができる。本代替的実施形態では、開口部３１２が除去されており、それらが任意選択的であって本発明を実施するのに必ずしも必要な構造ではないことを示している。
【００７５】
さらに、図４０に開示した安定化部分は、図８２において、ＴＹＶＥＣブランドの材料の最上層３２３、接着剤の層３２７、開口部３０４を有するラテックス３２１の層、および軟膏３９０が塗布されたパッド３１４で構成されることが示される。パッド３１４は、ラテックス３２１内の開口部３０４を通って広がる接着剤３２７を介して材料３２３に連結されている。
【００７６】
図３９に開示した安定化部分は、図８１において、ＴＹＶＥＣブランドの材料の最上層３２３、接着剤の層３２７、開口部３０４を有するラテックス３２１の層、およびパッド３１４で構成されることが示される。パッド３１４は、ラテックス３２１内の開口部３０４を通って広がる接着剤３２７を介して材料３２３に連結されている。
【００７７】
図４３および図４４を参照すると、本発明の別の代替的実施形態を見ることができる。本実施形態では、４つの固定具部分がそれぞれの固定部分３１７ａを介して連結されているのがここでもまた示されている。本実施形態では、ラテックス材料３２１のみが、固定具部分３０１、３０３、３０５、および３０７の間で延びる。材料を均一に伸張することができるように、ラテックス材料３２１内に湾曲３３０が設けられる。また、被覆材３００の使用に先立って固定具部分３０３、３０５、３０７、および３０１を互いに接続するために、ミシン目３０８が設けられる。ミシン目は、被覆材３００の本実施形態を用いることが所望される際に破られる。
【００７８】
図４７および図４８を参照すると、被覆材３００のラテックス部分３２１を複数の方向に伸張させ得るかまたは延ばし得ることが、ここでもまた示される。これが、種々の表面上での使用の融通性を可能にする。
【００７９】
図４９および図５０を参照すると、本発明の別の代替的実施形態が開示されており、所望であれば、本明細書に開示した本発明の原理を損なうことなく開口部３１２を張力印加部分３１２ａから除去し得ることを示している。
【００８０】
図５３を参照すると、本発明の極めて単純な型が示されている。本実施形態では、被覆材３００は、２つの端部を有する一片のラテックス３２１から成り、該２つの端部に、固定具３０１および３０３が接着剤を用いてそれぞれ取り付けられている。ラテックス３２１の端部は、層３１５と層３１９との間に単純に挟み込まれている。図に示すように、一片の硬化材３２３がラテックス３２１の中央部分を跨いで接着剤で接着され、パッド３１４がラテックス３２１の下側に接着剤で接着されている。それぞれの固定具部分３０１および３０３の各々の下側には、接着剤３２７が塗布されている。
【００８１】
図５４を参照すると、被覆材３００全体に一連の開口部３８３を追加して施した図５３の実施形態が示されている。開口部３８３を貫通させる材料に応じて、開口部の機能が異なることになる。ラテックス３２１内の開口部３１２は、ラテックスの弾性を変えるように機能する。開口部３８３ａは、応力点を生成し、被覆材３００をその固定具３０１と固定具３０３との間でまっすぐに整合した状態に維持するのに役立つ。開口部３８３ｂにより、処置部位に空気が入ることができる。
【００８２】
ここで図５５、図５６、図５７、図５８、図５９、および図６０を参照すると、図３７および図３８に開示した実施形態と類似した被覆材３００の別の実施形態が開示されている。本実施形態では、ラテックス部分３２１全体が本質的に、開口部３１２を有する張力印加部分４１２から成る。固定具３０１および３０３は、前述したように機能する。図５５のラテックス３２１は、図５３に記載の位置に保持され、一方、図５６のラテックス３２１は、開口部３０４を通って広がる接着剤３２７によって、図３５および図３６を参照して説明した位置に保持されている。図５７〜図６０は、縫合１７ａを施すためのガイドとして機能するために本実施形態を切開１７の上に配置し得ること（図５７参照）、または切開を開いた状態に保持するために切開１７のいずれかの側に各実施形態を配置し得ること（図５８参照）、もしくは静脈管３０７を所定の位置に保持するために開口部３１２を使用し得ること（図５９参照）、あるいは縫合１７ａを施す手段を取ることなく切開１７を閉じた状態に保持するために被覆材３００を簡単に用いること（図６０参照）を示している。
【００８３】
図６１〜図６６および図７０〜図７６を参照すると、被覆材３００の様々な代替的設計を見ることができる。開示した被覆材３００の全てが先に開示したものと同じ原理で作動するが、これらは、本明細書に記載した本発明を逸脱することなくラテックス３２１および開口部３１２の形状を変え得ることを例証するために示される。また、パッド３１４および材料３２３の大きさならびに形状を変え得る事実も例証される。さらに、ラテックス３２１全体にわたって張力を均等に分布させるために、半径またはアーチ形の部分３３０の形状を変化させ得る。
【００８４】
図６７〜図６９を参照すると、本発明の別の実施形態を見ることができ、この実施形態では、ラテックス３２１は、材料３２３で作った輪部分３４７を含んでいる。輪部分３４７に連結されるのは、ラテックス３２１および医療用途に一般に適した種類の透明なウレタン材料３４５であり、所望の用途に応じて、任意の適した通気性材料のような代替的材料を用いてもよい。図６８によって示すように、輪部分３４７は、ＴＹＶＥＣブランドの材料３２３、接着剤３２７の層、開口部３０４と同様の方法で機能する開口部３１６を有するラテックス３２１の層、接着剤３２７の別の層、ＴＹＶＥＣブランドの材料３２３の別の層、透明な材料３４５、およびコロイド質接着剤３４９の層で構成されている。この構造が所望の領域の上に安定した空間３５１を作り出し、かつコロイド３４９が該領域を隔離して空間３５１の下の表皮１１の伸張を防止し、これにより創傷または他の所望の領域が、材料３４５を通して観察し得る隔離された環境内に保たれる。コロイド３４９および材料３４５が、創傷を外部の感染源から隔離する。
【００８５】
図８５および図８６を参照すると、本発明の別の代替的設計を観察し得る。本実施形態では、中央部分は、被覆材用途に一般に用いられる種類の通気性の膜３７２である。ミシン目３０８により、被覆材を切り離して複数の固定具部分３０１を形成し得る。膜３７２の引裂を防止するために、開口部３７３が部材３７２に設けられる。前述した固定部分３１７ａが設けられる。図７８および図７９を参照すると、断面構造を見ることができ、該構造は、材料３２３の最上層、接着剤３２７の層、開口部３０４を含むラテックス３２１、接着剤３２７、材料３２３、接着剤３２７、通気性の膜３７２およびコロイド質接着剤３４９を含んでいる。被覆材３００は、表皮１１の所望の領域を覆い、かつ実質的にその領域を外部汚染から隔離し得る。
【００８６】
ここで図８３、図８４、および図７７を参照すると、１つの開口部３７０のみが存在するように通気性の膜３７２が除去されている点以外は図８５および図８６、図７８ならびに図７９に示すものと同じ構造が示されている。本被覆材３００は、表皮の損傷した領域または火傷を負った領域を空気にさらすことが所望される場合に用途を有すると考えられる。ラテックス３２１のバネ作用により開口部３７０内の創傷または火傷を取り囲む表皮領域が下に押されることになるので、これが創傷もしくは火傷を十分に押し上げ、その結果最大限に露出されるものと思われる。
【００８７】
ここで図８０を参照すると、別の代替的実施形態は、通気性の膜３７２がＩＶ型流体を保持するのに一般に用いられるウレタンのような密封された膜３９９と置き換えられている点以外は、図７８に開示した構造と同様である。この膜３９９を貫通して延びているのは、注入口および排出口である。本被覆材３００は、創傷を外部汚染から封止するために用い得るが、創傷の洗浄または薬剤の投与もしくは組織サンプルの採取にも用い得る。
【００８８】
ここで図８７および図８８を参照すると、再封止可能なクロージャ３８０を示す別の実施形態が図示される。クロージャまたはジッパ３８０は、被覆材を二分してもよく、部分的にのみ被覆材３００を横断して延びてもよい。クロージャ３８０は、帯具を除去しそして再び施す必要なく創傷または火傷もしくは他の領域に処置を施すことができるように備えられる。
【００８９】
ここで図８９〜図９３を参照すると、本明細書に記載した被覆材３００の種々の用途をヒトへの使用における状態で図示しているのを見ることができる。
【００９０】
ここで図９４〜図９６を参照すると、図３５〜図５２および図６１〜図７６に開示した構造に類似した別の実施形態が示されている。図から分かるように、被覆構造３００は、固定具部分３０１および３０３が多層または積層材３０２から成り、中央部分３２５が多層もしくは積層材３０２ａから成っている。図９６に詳細に見ることができるように、積層材３０２は、ＴＹＶＥＣブランドの材料またはスパンシルクで作られた上面もしくは最上層３１５、およびシリコーンの剥離ライナ３０で覆われた低アレルギー誘発性の接着剤層３２７から成る下面または最下層３１９を含んでいる。積層材３０２は、弾性部材３２１の縁３１７が係合する溝３１３をさらに含み、それにより縁３１７が上面層３１５と接着剤層３２７の間に配置されるのが好ましい。弾性部材３２１は、ラテックスゴムまたは他の適切な弾性材料で形成することができる。縁３１７は開口部３０４を含み、開口部３０４を通って接着剤層３２７が延びて上面層３１５に通じることができ、それにより上面層３１５を縁３１７に連結しているのが好ましい。この作用により弾性材料３２１が所定の位置内に効果的に固定され、それにより伸張される際の張力によっては弾性材料３２１を容易に除去することができなくなる。
【００９１】
引き続き図９４〜図９６を参照すると、中央部分３２５が安定化部分３２３を含んでいるのを観察することができる。安定化部分３２３は、ＴＹＶＣブランドの材料、スパンシルク、または任意の他の適した材料で製造することができる。安定化部分３２３は、接着剤層３２７ａが開口部３１６を通って部分３２３と通じることを可能にする弾性部材３２１内で、開口部３１６を介してパッド部材３１４ａおよび弾性部材３２１に結合されるのが好ましい。この作用により、安定化部分３２３、弾性部材３２１およびパッド部材３１４ａが安定化部分３２３において連結され、それによりパッド部材３１４ａが弾性部材３２１によって固定具部分３０１と３０３の間に吊るされる。
【００９２】
安定化部分３２３には開口部３０６をさらに設けることができ、該開口部３０６により、パッド部材３１４ａを通して表皮（これらの図には示さず）まで薬物または他の物質（図示せず）を容易に分散させることができる。パッド部材３１４ａは親水性材料（図に示すような）、ガーゼ、または任意の他の適した材料で形成することができることにさらに留意されたい。またさらに、本装置が貼付される表皮表面上における剪断縮小を補助するためにシリコーンの表面材料６００を任意のパッド部材表面に塗布することができることに注目することもできる。あるいは、パッド部材を全体的にシリコーンの表面材料（図示せず）と入れ替えてもよい。さらに、前述した実施形態も、パッドまたは中央部分の構造の一部として親水性材料を含むことができる。
【００９３】
図９４〜図９６に見られる被覆構造３００は障壁層５００を含んでいることをさらに観察することができる。障壁層５００は、接着剤層３２７と弾性部材３２１との間において、接着剤層３２７の少なくとも一部分の上に重なっているのが好ましい。図９６に詳細に見られるように、接着剤層３２７は、遠位端部５０２および近位端部５０４を含んでいるのが好ましい。障壁層５００は、接着剤層３２７の近位端部５０４の一部分の上に重なっているのが好ましい。障壁層５００は、接着剤層３２７上の持ち上げ力または剥離力を減少させ、それにより、被覆構造３００が貼付されそして弾性部材３２１が固定具部分３０１と３０３の間で伸張される際の接着剤層３２７と表皮（図示せず）との間の結合の安定性が増大する。先の実施形態に示すように、本実施形態が創傷または他の所定の領域に貼付されると、弾性部材３２１が重ね板バネとして大きく作用し、パッド部材３１４ａを通じて下方に正圧を印加する。図９４〜図９６の実施形態に示す親水性パッド材料を追加して用いると、下方への正圧と組み合わされて機能し、所定の領域とのパッド部材３１４ａの接触を効果的に維持する。
【００９４】
図９４〜図９６に見られるように、開口部３１２は、弾性部材３２１の張力調整部分４１２内に配置することができる。他の実施形態に関して前述したように、被覆構造３００を貼付するために弾性部材３２１の張力調整部分４１２が伸張されるにつれて、開口部３１２が変形することになる。伸張が大きいほど、弾性部材３２１に印加される張力が大きくなる。このようにして弾性部材３２１に印加される張力の量を認識することができ、被覆材を貼付している人間が圧力を比較的一定に保つことが可能となる。
【００９５】
ここで図９７〜図１００を参照すると、本発明の別の実施形態を見ることができる。図９４〜図９６に見られる実施形態と同様に、これらの図に見られる被覆構造３００ａは、固定具部分３０１ａおよび３０３ａが多層または積層材３０２から成り、中央部分３２５が多層または積層材３０２ａから成っている。しかしながら、図９９に詳細に見られるように、固定具部分３０１ａは、複数のループ部材５０６を含んでいる。固定具部分３０３ａは、固定具部分３０１ａ上のループ部材５０６に留めるように配列されたフック部材５０８を有する少なくとも１つの側方に延びる部分５１０を含んでいるのが好ましい。この配列により、図１００に見られるように、被覆構造３００ａを容易に手足１２に装着することができ、かつ、使用者が、皮膚表面から接着剤層を除去することなく、創傷を点検または洗浄することができる。図９９に詳細に見ることができるように、固定具部分３０１ａにおける積層材３０２は、ＴＹＶＥＣブランドの材料、スパンシルク、または類似の材料で作られた上面または最上層３１５を含んでいる。言及したように、上面３１５は、複数のループ部材５０６を含んでいる。下面または下層３１９は、シリコーンの剥離ライナ３０で覆われた低アレルギー誘発性の接着剤層３２７から成っている。固定具部分３０３ａにおける積層材３０２は、固定具構造３０１ａのそれに類似した上面層を含んでいるが、固定具構造３０１ａ上のループ部材５０６に留めるように配列されたフック部材５０８を有する側方に延びる部分５１０を含んでいる。側方に延びる部分は、縫合、接着剤のような通常の手段により、または、図に示すように、固定具構造３０１ａ上の対応するループ部材により、上面３１５に取り付けることができる。さらに、固定具部分３０３ａにおける積層材３０２は、固定具部分３０１ａにおいて示す剥離ライナで覆われた接着剤層ではなく、接着剤層３２７を介して取り付けられたＴＹＶＣブランドの材料、スパンシルク、または任意の他の適した材料で作られた下面３１９を含んでいるのが好ましい。固定具構造３０１ａおよび３０３ａにおける積層材は、図９４〜図９６の実施形態に関して論じたように、弾性部材３２１の縁部が係合する溝３１３を含んでいるのが好ましい。
【００９６】
図９４〜図９６の実施形態と同様に、図９７〜図１００に示す装置は、障壁層５００をさらに含むことができる。障壁層５００は、固定具部分３０１ａにおいて接着剤層３２７の近位端部５０４の一部分の上に重なっているのが好ましい。
【００９７】
図１０１〜図１０４には、別の代替的実施形態の被覆構造３００ｂを見ることができる。図９７〜図１００に示す実施形態におけるように、図１０１〜図１０４の装置には、複数のループ部材５０６およびフック部材５０８が設けられている。しかしながら、図に見られるように、固定具部分３０１ａおよび３０３ａにおける積層材３０２には、前述した接着剤層ではなく、ＴＹＶＣブランドの材料、スパンシルク、または任意の他の適した材料で作られた下面３１９が設けられている。この配列により、長期に及ぶ使用の間に敏感な貼付部位に対して刺激物となる可能性がある接着剤を使用せずに、被覆構造３００ｂを表皮（図示せず）に固定することが可能となる。
【００９８】
ここで図１０３および１０４を参照すると、被覆構造３００ａの別の代替的実施形態を見ることができる。図に示すように、図３５を参照して先に開示した装置が示されているが、接着剤層３２７の一部分と同延でかつその上に重なる非接着性の障壁層５００を含んでいる。本装置はさらに、親水性材料から成るパッド部材３１４ａを含んでいる。そういうものとして示してはいないが、本装置は障壁層５００を組み込んで製造することができる一方でガーゼのような任意の通常の材料で作られたパッド部材３１４を含んでいることを理解されたい。
【００９９】
図１０５および図１０６に示すのは、図５３に関して先に開示した装置であると分かる別の代替的実施形態である。本実施形態では、被覆材３００ａは、ラテックスのような、固定具３１０ａおよび３０３ｂがそれぞれ取り付けられた２つの端部を有する一片の弾性部材３２１から成っている。弾性部材３２１の端部は、上面部材３１５と下面層３１９の間に単に挟み込まれている。安定化部分の部材３２３は、弾性部材３２１の中央部分３２５を跨いで接着されており、またパッド部材３１４ａは、弾性部材３２１の下側に接着されている。図に示すように、本装置には、先の実施形態に関して論じたような障壁層５００をさらに設けてもよい。障壁層は、接着剤層３２７の近位端部部分５０４において、接着剤層３２７と弾性部材３２１の間に配置されるのが好ましい。パッド部材３１４ａは、示されるように親水性の材料で製造してもよく、任意の他の適した材料で製造してもよい。
【０１００】
図１０７および図１０８に見られるのは、被覆機構３００ａの別の実施形態であるが、図５５〜図６０に開示した実施形態に類似している。本実施形態では、弾性部材３２１全体が本質的に、開口部３１２を有する張力印加部分４１２から成っている。様々な構成要素が前述したように機能するが、本装置は、非接着性障壁層５００の特徴を含んでいる。図９５〜図１０６に関して説明したように、障壁層５００は、接着剤層３２７の近位端部部分５０４において接着剤層３２７と弾性部材３２１の間に配置されるのが好ましい。
【０１０１】
図１０９〜図１１３は、多層パッド部材３１４ａを含む代替的実施形態および前述したように接着剤層３２７と弾性部材３２１の間に障壁層５００を使用している例を示している。
【０１０２】
上述のことは、本発明の原理を例証したものに過ぎないとみなされる。さらに、数多くの修正および変更が容易に当業者の脳裏に浮かぶであろうことから、本発明を図示しかつ説明した厳密な構成および働きに限定することは望まれない。好ましい実施形態を説明してきたが、その詳細は、特許請求の範囲によって定義される本発明を逸脱することなく変更することができる。
【図面の簡単な説明】
【０１０３】
【図１】図１は、先行技術による鼻用ストリップの上面図である。
【図１Ａ】図１Ａは、本発明のフラップを含む図１の先行技術による鼻用ストリップの上面図である。
【図２】図２は、弛緩した多層バネの側面図である。
【図３】図３は、支点の上で湾曲した張力をかけた多層バネの側面図である。
【図４】図４は、層状の構成要素を示す表皮持ち上げ機構の側面図である。
【図５】図５は、矢印が垂直の力および剥離力を示す表皮持ち上げ機構の概略側面図である。
【図６】図６は、表皮持ち上げ機構の端部分の上面図である。
【図７】図７は、表皮持ち上げ機構の下面図である。
【図８】図８は、表皮持ち上げ機構の主要な層を示す側面図である。
【図９】図９は、表皮持ち上げ機構の代替的実施形態の上面図である。
【図１０】図１０は、表皮持ち上げ機構の代替的実施形態の上面図である。
【図１１】図１１は、表皮持ち上げ機構の代替的実施形態の上面図である。
【図１２】図１２は、表皮持ち上げ機構の代替的実施形態の上面図である。
【図１３】図１３は、表皮持ち上げ機構の代替的実施形態の上面図である。
【図１４】図１４は、表皮持ち上げ機構の代替的実施形態の上面図である。
【図１５】図１５は、鼻梁上に適切に配置された表皮持ち上げ機構を示す側面図である。
【図１６】図１６は、鼻梁上の高すぎる位置に不適切に配置された表皮持ち上げ機構を示す側面図である。
【図１７】図１７は、鼻梁上の低すぎる位置に不適切に配置された表皮持ち上げ機構を示す側面図である。
【図１８】図１８は、本発明の好ましい実施形態の分解図である。
【図１９】図１９は、弾性ストリップを含む本発明の代替的実施形態の上面図である。
【図２０】図２０は、人間の鼻の片側のみに対する用途または表皮層の所定の部分を持ち上げるための用途を有する実施形態を示す本発明の代替的実施形態の上面図である。
【図２１】図２１は、人間または動物の表皮の選択された領域に貼付するための、ポッドに連結された第１の端部および固定機構に連結された第２の端部を有する弾性部材を示す本発明の代替的実施形態の上面図である。例えば、固定機構は人間の頬に貼付され、そしてポッドは、鼻道の開口度を高めるために人体の鼻の表皮に貼付することができる。
【図２２】図２２は、人間の頬に貼付された固定機構および人体の鼻の片側に貼付されたポッドを有する図２１の実施形態を示す側面図である。
【図２３】図２３は、切開を開いた状態に保持するために用いられている図２１の実施形態を示す上面図である。
【図２４】図２４は、切開を閉じた状態に保つために用いられている図１９の実施形態を示す上面図である。
【図２５】図２５は、切開に縫合を加えるために切開の両端部が適切に整合された状態に保たれた、切開を閉じた状態に保つために用いられている図１９の実施形態を示す上面図である。
【図２６】図２６は、呼吸を高めるために鼻腔拡張装置として人体の鼻に用いられている図２１または図１９の実施形態を示す側面図である。いずれも用いることが可能であるが、この目的に対しては、図１９の実施形態が図２１の実施形態より好ましいと考えられる。
【図２７】図２７は、人間の鼻を概略的に示す斜視図である。
【図２８】図２８は、鼻をいずれの鼻腔拡張装置も存在しない状態で示す図２７の鼻の断面図である。
【図２９】図２９は、鼻を相対的に少ない空気が鼻道を通って流れる状態で示す図２７の鼻の断面図である。
【図３０】図３０は、鼻道を通る相当な空気流を示す、本発明の鼻腔拡張装置を貼付した図２７の鼻の断面図である。
【図３１】図３１は、本発明の別の代替的実施形態の上面図である。
【図３２】図３２は、製造されることになるであろう実施形態として示す本発明の追加の実施形態案の上面図であり、接着剤を露出させるために除去され、次いで後方に曲げられそして図３３に示すように貼付された領域を示す。
【図３３】図３３は、表皮表面に貼付された図３２に示す実施形態の上面図であり、剪断点、接着剤、および弾性材料または伸張可能材料を示す。
【図３４】図３４は、図１９に示す実施形態に対する代替的構造の上面図である。
【図３５】図３５は、本発明の別の代替的構造の斜視図である。
【図３６】図３６は、図３５に開示した実施形態の上面図である。
【図３７】図３７は、本発明の別の代替的構造の斜視図である。
【図３８】図３８は、図３７に開示した実施形態の上面図である。
【図３９】図３９は、本発明の別の代替的構造の斜視図である。
【図４０】図４０は、図３９に開示した実施形態の上面図である。
【図４１】図４１は、本発明の一実施形態を本実施形態の２つの見方を重ね合わせることによって示す本発明の別の実施形態の上面図であり、透視線は、ラテックス部分が伸張されることなく静止している実施形態を示し、実線は、ラテックス部分が伸張されている一方で、不均一な張力が様々な固定具部分に印加されているが、中心部分または第２の部分が治療部位を覆った位置を維持していることを示している。
【図４２】図４２は、図４１に示す実施形態の上面図であり、第２の中央部分を配置することができる方法および中心部分に印加される応力または圧力を調整するために配置された様々な固定部分を示している。
【図４３】図４３は、本発明の別の実施形態の斜視図である。
【図４４】図４４は、図４３に開示した実施形態の上面図である。
【図４５】図４５は、本発明の別の代替的構造の斜視図である。
【図４６】図４６は、図４５に開示した実施形態の上面図である。
【図４７】図４７は、本発明の特定の実施形態において力を２つの方向に分配することができる方法を示す上面図である。
【図４８】図４８は、本発明の特定の実施形態において力を４つの方向に分配することができる方法を示す上面図である。
【図４９】図４９は、本発明の別の代替的構造の斜視図である。
【図５０】図５０は、図４９に開示した構造の上面図である。
【図５１】図５１は、本発明の別の代替的構造の斜視図である。
【図５２】図５２は、図５１に開示した構造の上面図である。
【図５３】図５３は、本発明の別の代替的構造の斜視図である。
【図５４】図５４は、図５３に開示した構造に対する代替的実施形態の上面図である。
【図５５】図５５は、本発明の別の代替的構造の斜視図である。
【図５６】図５６は、図５５に示す代替的構造の代替的実施形態の上面図である。
【図５７】図５７は、創傷の切開の上に貼付され、そして創傷を縫合するためのガイドとしての機能を果たしている図５５に開示した構造を示す上面図である。
【図５８】図５８は、創傷を開いた状態に保持するために用いられている図５５に開示した構造の２つを示す上面図である。
【図５９】図５９は、静脈管を導きかつ該管を所定の位置に保持するために用いられている図５５に開示した構造を示す斜視図である。
【図６０】図６０は、創傷または切開の縁部を合わせて保持している図５５に開示した構造を示す上面図である。
【図６１】図６１は、本発明の別の代替的構造の斜視図である。
【図６２】図６２は、図６１に開示した構造の上面図である。
【図６３】図６３は、本発明の別の代替的構造の斜視図である。
【図６４】図６４は、図６３に開示した構造の上面図である。
【図６５】図６５は、本発明の別の代替的構造の斜視図である。
【図６６】図６６は、図６５に開示した構造の上面図である。
【図６７】図６７は、本発明の別の代替的構造の斜視図である。
【図６８】図６８は、図６９の線６８−６８から取った図である。
【図６９】図６９は、図６７に開示した構造の上面図である。
【図７０】図７０は、本発明の別の代替的構造の斜視図である。
【図７１】図７１は、図７０に開示した構造の上面図である。
【図７２】図７２は、本発明の別の代替的構造の斜視図である。
【図７３】図７３は、図７４に開示した構造の上面図である。
【図７４】図７４は、本発明の別の代替的実施形態の上面図である。
【図７５】図７５は、本発明の別の代替的構造の斜視図である。
【図７６】図７６は、図７５に開示した構造の上面図である。
【図７７】図７７は、図８４の線７７−−７７から取った断面図である。
【図７８】図７８は、図８６の線７８−７８から取った断面図である。
【図７９】図７９は、図８６の線７９−７９から取った断面図である。
【図８０】図８０は、創傷を洗浄するかまたは所定の領域に薬物を送達するために用いることができる注入口および排出口の使用を示す、図８６に開示した構造に類似した構造の断面図である。
【図８１】図８１は、図３９の線８１−８１から取った図である。
【図８２】図８２は、図４０の線８２−８２から取った図である。
【図８３】図８３は、本発明の別の代替的実施形態の上面図である。
【図８４】図８４は、図８３に開示した本発明の代替的構造の斜視図である。
【図８５】図８５は、本発明の別の代替的実施形態の上面図である。
【図８６】図８６は、図８５に開示した本発明の代替的構造の斜視図である。
【図８７】図８７は、本発明の別の代替的実施形態の上面図である。
【図８８】図８８は、本発明の別の代替的実施形態の上面図である。
【図８９】図８９は、高度の運動を免れない人体の領域上に図７０に開示した実施形態を用いることができる方法を示す図である。
【図９０】図９０は、本発明の別の代替的実施形態を高度の運動を免れない人体の領域上に用いることができる方法を示す図である。
【図９１】図９１は、本発明の別の代替的実施形態を鼻腔拡張装置として用いることができる方法を示している。
【図９２】図９２は、図９１に示す本発明の代替的実施形態を鼻腔拡張装置として用いることができる別の方法を示している。
【図９３】図９３は、この場合は人体の耳の皮膚弁である皮膚弁を所定の位置に保持するために図９１に示す実施形態を用いることができる方法を示している。これは、他の方法では皮膚のひだまたは皮膚弁によって遮られ、従ってその領域上での作業が困難もしくは煩雑となる可能性のある領域へ容易にアクセスすることが所望される場合に有用である。
【図９４】図９４は、本発明の一実施形態の斜視図であり、親水性のパッド材料を示している。
【図９５】図９５は、図９４に示す装置の上面図である。
【図９６】図９６は、図９４および図９５に示す装置の断面図であり、図９５の線９６−９６に沿って取ったものである。
【図９７】図９７は、図９４〜図９６の装置と類似した装置の斜視図であるが、接着性固定手段と組み合わせたマジックテープ（登録商標）式留め具を示している。
【図９８】図９８は、図９７に示す装置の上面図である。
【図９９】図９９は、図９７〜図９８に示す装置の断面図であり、図９８の線９９−９９に沿って取ったものである。
【図１００】図１００は、人体の手足の周りに使用されている図９７〜図９９に示す装置を示している。
【図１０１】図１０１は、図９７〜図１００に示すものに類似した装置の上面図であるが、先の図面に示した付加的接着性取り付け手段が存在しないマジックテープ（登録商標）式留め具の使用を示している。
【図１０２】図１０２は、図１０１に示す装置の断面図であり、その線１０２−１０２に沿って取ったものである。
【図１０３】図１０３は、障壁層を示す一実施形態の上面図である。
【図１０４】図１０４は、図１０３に示す装置の断面図であり、その線１０４−１０４に沿って取ったものである。
【図１０５】図１０５は、障壁層を含む別の実施形態の斜視図である。
【図１０６】図１０６は、図１０５に見られる装置の断面図であり、その線１０６−１０６に沿って取ったものである。
【図１０７】図１０７は、障壁層を含む別の実施形態の上面図である。
【図１０８】図１０８は、図１０７に見られる装置の断面図であり、その線１０８−１０８に沿って取ったものである。
【図１０９】図１０９は、障壁層を含む別の実施形態の上面図である。
【図１１０】図１１０は、図１０９に見られる装置の断面図であり、その線１１０−１１０に沿って取ったものである。
【図１１１】図１１１は、本発明の一実施形態の分解図であり、複数の障壁層を示している。
【図１１２】図１１２は、表皮上の所定の位置にある図１１１に見られる実施形態の透視図である。
【図１１３】図１１３は、図１１２のそれと同様の図であるが、障壁ストリップをより明確に示すためにアーチ形の位置に置いた装置を示している。
【図１】
2006507025.tif 000003
【図１Ａ】
2006507025.tif 000004
【図２】
2006507025.tif 000005
【図３】
2006507025.tif 000006
【図４】
2006507025.tif 000007
【図５】
2006507025.tif 000008
【図６】
2006507025.tif 000009
【図７】
2006507025.tif 000010
【図８】
2006507025.tif 000011
【図９】
2006507025.tif 000012
【図１０】
2006507025.tif 000013
【図１１】
2006507025.tif 000014
【図１２】
2006507025.tif 000015
【図１３】
2006507025.tif 000016
【図１４】
2006507025.tif 000017
【図１５】
2006507025.tif 000018
【図１６】
2006507025.tif 000019
【図１７】
2006507025.tif 000020
【図１８】
2006507025.tif 000021
【図１９】
2006507025.tif 000022
【図２０】
2006507025.tif 000023
【図２１】
2006507025.tif 000024
【図２２】
2006507025.tif 000025
【図２３】
2006507025.tif 000026
【図２４】
2006507025.tif 000027
【図２５】
2006507025.tif 000028
【図２６】
2006507025.tif 000029
【図２７】
2006507025.tif 000030
【図２８】
2006507025.tif 000031
【図２９】
2006507025.tif 000032
【図３０】
2006507025.tif 000033
【図３１】
2006507025.tif 000034
【図３２】
2006507025.tif 000035
【図３３】
2006507025.tif 000036
【図３４】
2006507025.tif 000037
【図３５】
2006507025.tif 000038
【図３６】
2006507025.tif 000039
【図３７】
2006507025.tif 000040
【図３８】
2006507025.tif 000041
【図３９】
2006507025.tif 000042
【図４０】
2006507025.tif 000043
【図４１】
2006507025.tif 000044
【図４２】
2006507025.tif 000045
【図４３】
2006507025.tif 000046
【図４４】
2006507025.tif 000047
【図４５】
2006507025.tif 000048
【図４６】
2006507025.tif 000049
【図４７】
2006507025.tif 000050
【図４８】
2006507025.tif 000051
【図４９】
2006507025.tif 000052
【図５０】
2006507025.tif 000053
【図５１】
2006507025.tif 000054
【図５２】
2006507025.tif 000055
【図５３】
2006507025.tif 000056
【図５４】
2006507025.tif 000057
【図５５】
2006507025.tif 000058
【図５６】
2006507025.tif 000059
【図５７】
2006507025.tif 000060
【図５８】
2006507025.tif 000061
【図５９】
2006507025.tif 000062
【図６０】
2006507025.tif 000063
【図６１】
2006507025.tif 000064
【図６２】
2006507025.tif 000065
【図６３】
2006507025.tif 000066
【図６４】
2006507025.tif 000067
【図６５】
2006507025.tif 000068
【図６６】
2006507025.tif 000069
【図６７】
2006507025.tif 000070
【図６８】
2006507025.tif 000071
【図６９】
2006507025.tif 000072
【図７０】
2006507025.tif 000073
【図７１】
2006507025.tif 000074
【図７２】
2006507025.tif 000075
【図７３】
2006507025.tif 000076
【図７４】
2006507025.tif 000077
【図７５】
2006507025.tif 000078
【図７６】
2006507025.tif 000079
【図７７】
2006507025.tif 000080
【図７８】
2006507025.tif 000081
【図７９】
2006507025.tif 000082
【図８０】
2006507025.tif 000083
【図８１】
2006507025.tif 000084
【図８２】
2006507025.tif 000085
【図８３】
2006507025.tif 000086
【図８４】
2006507025.tif 000087
【図８５】
2006507025.tif 000088
【図８６】
2006507025.tif 000089
【図８７】
2006507025.tif 000090
【図８８】
2006507025.tif 000091
【図８９】
2006507025.tif 000092
【図９０】
2006507025.tif 000093
【図９１】
2006507025.tif 000094
【図９２】
2006507025.tif 000095
【図９３】
2006507025.tif 000096
【図９４】
2006507025.tif 000097
【図９５】
2006507025.tif 000098
【図９６】
2006507025.tif 000099
【図９７】
2006507025.tif 000100
【図９８】
2006507025.tif 000101
【図９９】
2006507025.tif 000102
【図１００】
2006507025.tif 000103
【図１０１】
2006507025.tif 000104
【図１０２】
2006507025.tif 000105
【図１０３】
2006507025.tif 000106
【図１０４】
2006507025.tif 000107
【図１０５】
2006507025.tif 000108
【図１０６】
2006507025.tif 000109
【図１０７】
2006507025.tif 000110
【図１０８】
2006507025.tif 000111
【図１０９】
2006507025.tif 000112
【図１１０】
2006507025.tif 000113
【図１１１】
2006507025.tif 000114
【図１１２】
2006507025.tif 000115
【図１１３】
2006507025.tif 000116
【国際調査報告】
2006507025.tif 000117
2006507025.tif 000118
2006507025.tif 000119
2006507025.tif 000120